(57)【要約】【課題】本発明は、表示制御装置の使い勝手を向上する。【解決手段】本発明は、第１タッチパネル１４Ｂの第１操作面に対する指示操作を検出すると、当該第１操作面において指示操作で指示された面積を検出し、画像を当該検出した面積に基づいて拡大して第２液晶パネル１５Ａに表示することにより、第１操作面の所望の部分や所望の大きさの面積を指示するように指示操作を行わせることで、画像の拡大対象部分や拡大率を容易に選定させることができ、その結果、第２液晶パネル１５Ａに画像の所望の拡大対象部分を拡大して表示し、また当該画像の少なくとも一部を所望の拡大率で拡大して表示することができ、かくして表示制御装置の使い勝手を向上することができる。【選択図】図１４
2011141753.tif 000002
【特許請求の範囲】
【請求項１】
表示部と、
操作面に対する指示操作を検出する検出部と、
上記検出部により上記操作面に対する上記指示操作が検出されると、当該操作面において上記指示操作で指示された面積を検出し、画像を当該検出した上記面積に基づいて拡大して、上記表示部に表示させる制御部と
を具える表示制御装置。
【請求項２】
上記制御部は、
上記検出部により上記操作面に対する上記指示操作が検出されると、当該指示操作に基づいて上記画像の拡大対象を検出し、当該検出した上記拡大対象である上記画像の一部を上記面積に基づいて拡大して、上記表示部に表示させる
請求項１に記載の表示制御装置。
【請求項３】
上記制御部は、
上記検出部により上記操作面に対する連続した上記指示操作が検出されると、当該連続した上記指示操作に基づいて上記拡大対象の変更を検出し、当該検出した変更された上記拡大対象である上記画像の上記一部を上記面積に基づいて拡大して、上記表示部に表示させる
請求項２に記載の表示制御装置。
【請求項４】
上記表示部は、
上記画像を表示する元画像表示部と、
上記画像の上記一部を拡大して得られる拡大画像を表示する拡大画像表示部と
を具える請求項３に記載の表示制御装置。
【請求項５】
上記検出部は、
上記元画像表示部に一体に設けられた
請求項４に記載の表示制御装置。
【請求項６】
上記制御部は、
上記検出部により上記操作面に対する連続した上記指示操作が検出されると、当該連続した上記指示操作に基づいて上記操作面において上記指示操作で指示された面積を定期的に検出し、上記拡大対象である上記画像の上記一部を、上記定期的に検出した上記面積に基づいて拡大して、上記表示部に表示させる
請求項５に記載の表示制御装置。
【請求項７】
上記制御部は、
上記拡大対象である上記画像の上記一部を、上記定期的に検出した上記面積に応じた上記拡大率で拡大して、上記表示部に表示させる
請求項６に記載の表示制御装置。
【請求項８】
操作面に対する指示操作を検出する検出ステップと、
上記操作面に対する上記指示操作を検出すると、当該操作面において上記指示操作で指示された面積を検出し、画像を当該検出した上記面積に基づいて拡大して表示部に表示する制御ステップと
を具える表示制御方法。
【請求項９】
コンピュータに
操作面に対する指示操作を検出する検出ステップと、
上記操作面に対する上記指示操作を検出すると、当該操作面において上記指示操作で指示された面積を検出し、画像を当該検出した上記面積に基づいて拡大して表示部に表示する制御ステップと
を実行させるための表示制御プログラム。
【発明の詳細な説明】
【技術分野】
【０００１】
本発明は表示制御装置、表示制御方法及び表示制御プログラムに関し、例えば、タッチパネルが設けられた携帯端末に適用して好適なものである。
【背景技術】
【０００２】
従来の電子機器は、表示部の前面に、例えば、静電容量型のタッチセンサが設けられている。電子機器は、タッチセンサの静電容量の変化により、そのタッチセンサに対する操作指示手段（手の指やタッチペン等）の接触の有無や近接の有無を検知する。
【０００３】
また電子機器は、表示部に複数の指示項目を表示した状態でタッチセンサに操作指示手段が近接すると、当該タッチセンサの静電容量の変化に基づき、そのタッチセンサと操作指示手段との距離を検出する。
【０００４】
さらに電子機器は、タッチセンサに対し操作指示手段が第１の距離に近接したとき、その第１の距離に基づき当該タッチセンサ上における操作指示手段の位置を算出すると共に、その算出結果に基づき操作指示手段に最も近い指示項目を選出する。
【０００５】
そして電子機器は、タッチセンサと操作指示手段との距離が第１の距離よりも短い第２の距離になると、その選出した指示項目を表示部いっぱいに拡大表示する。
【０００６】
この状態で電子機器は、タッチセンサに操作指示手段が接触すると、拡大表示した指示項目に対応する命令が入力されたと認識する。
【０００７】
このようにして電子機器は、表示部に表示した指示項目を容易に指示させて、その指示項目に対応する命令を入力させ易くしていた（例えば、特許文献１参照）。
【先行技術文献】
【特許文献】
【０００８】
【特許文献１】特開２００９−１１６５８３公報（第７頁、第８頁、第９頁、図４、図５）
【発明の概要】
【発明が解決しようとする課題】
【０００９】
ところが、かかる構成の電子機器は、上述のようにタッチセンサに対する操作に応じて表示部に画像内の何れかの指示項目を、予め設定された１つの拡大率で拡大して表示している。
【００１０】
このため電子機器は、表示部に画像の指示項目の有無に関係ない所望の部分を拡大して表示し、また画像を所望の拡大率で拡大して表示するように要望されても、このような要望に応じて画像を拡大して表示することができず、使い勝手がわるいという問題があった。
【００１１】
本発明は以上の点を考慮してなされたもので、使い勝手を向上し得る表示制御装置、表示制御方法及び表示制御プログラムを提案しようとするものである。
【課題を解決するための手段】
【００１２】
かかる課題を解決するため本発明においては、操作面に対する指示操作を検出すると、当該操作面において指示操作で指示された面積を検出し、画像を当該検出した面積に基づいて拡大して表示部に表示するようにした。
【００１３】
従って本発明では、操作面の所望の部分や所望の大きさの面積を指示するように指示操作を行わせることで、画像の拡大対象部分や拡大率を容易に選定させることができる。その結果、本発明は、表示部に画像の所望の拡大対象部分を拡大して表示し、また当該画像の少なくとも一部を所望の拡大率で拡大して表示することができる。
【発明の効果】
【００１４】
本発明によれば、操作面に対する指示操作を検出すると、当該操作面において指示操作で指示された面積を検出し、画像を当該検出した面積に基づいて拡大して表示部に表示するようにしたことにより、操作面の所望の部分や所望の大きさの面積を指示するように指示操作を行わせることで、画像の拡大対象部分や拡大率を容易に選定させることができ、その結果、表示部に画像の所望の拡大対象部分を拡大して表示し、また当該画像の少なくとも一部を所望の拡大率で拡大して表示することができ、かくして使い勝手を向上し得る表示制御装置、表示制御方法及び表示制御プログラムを実現することができる。
【図面の簡単な説明】
【００１５】
【図１】本発明による表示制御装置の回路構成の一実施の形態を示すブロック図である。
【図２】携帯端末の外観構成の一実施の形態を示す略線図である。
【図３】携帯端末のハードウェア回路ブロックによる回路構成を示すブロック図である。
【図４】操作体と操作面との距離の変化に応じた静電センサの出力値の変化の説明に供する略線図である。
【図５】接触領域、近接領域、非近接領域の検出の説明に供する略線図である。
【図６】タップ操作に応じたＷｅｂブラウザ画像及びページ画像の表示の説明に供する略線図である。
【図７】近接継続操作による近接領域が１個の場合の指示領域の検出の説明に供する略線図である。
【図８】近接継続操作による近接領域が複数の場合の指示領域の検出の説明に供する略線図である。
【図９】検出テーブルの構成を示す略線図である。
【図１０】指示領域の面積と拡大対象部分の拡大率との関係を示す略線図である。
【図１１】画像からの拡大対象部分の切り出しの説明に供する略線図である。
【図１２】近接継続操作に応じた画像の一部の拡大表示（１）の説明に供する略線図である。
【図１３】近接継続操作に応じた画像の一部の拡大表示（２）の説明に供する略線図である。
【図１４】近接継続操作による拡大対象部分の拡大（１）の説明に供する略線図である。
【図１５】近接継続操作による拡大対象部分の拡大（２）の説明に供する略線図である。
【図１６】近接継続操作による拡大対象部分の拡大（３）の説明に供する略線図である。
【図１７】近接移動操作に応じた拡大対象部分の変更（１）の説明に供する略線図である。
【図１８】近接移動操作に応じた拡大対象部分の変更（２）の説明に供する略線図である。
【図１９】近接移動操作に応じた拡大対象部分の連続的な変更（１）の説明に供する略線図である。
【図２０】近接移動操作に応じた拡大対象部分の連続的な変更（２）の説明に供する略線図である。
【図２１】表示制御処理手順（１）を示すフローチャートである。
【図２２】表示制御処理手順（２）を示すフローチャートである。
【図２３】携帯端末の変形例を示す略線図である。
【発明を実施するための形態】
【００１６】
以下図面を用いて、発明を実施するための最良の形態（以下、これを実施の形態とも呼ぶ）について説明する。なお、説明は以下の順序で行う。
１．実施の形態
２．変形例
【００１７】
＜１．実施の形態＞
［１−１．実施の形態の概要］
まず、実施の形態の概要を説明する。因みに、この概要を説明した後、本実施の形態の具体例の説明に移る。
【００１８】
図１において、１は全体として実施の形態による表示制御装置を示す。かかる表示制御装置１において表示部２は、画像を表示する。
【００１９】
また表示制御装置１において検出部３は、操作面に対する指示操作を検出する。さらに表示制御装置１において制御部４は、検出部３により操作面に対する指示操作が検出されると、当該操作面において指示操作で指示された面積を検出し、画像を当該検出した面積に基づいて拡大して、表示部２に表示させる。
【００２０】
かかる構成により表示制御装置１は、操作面の所望の部分や所望の大きさの面積を指示するように指示操作を行わせることで、画像の拡大対象部分や拡大率を容易に選定させることができる。
【００２１】
その結果、表示制御部１は、表示部２に画像の所望の拡大対象部分を拡大して表示し、また当該画像の少なくとも一部を所望の拡大率で拡大して表示することができる。これにより表示制御装置１は、使い勝手を向上させることができる。
【００２２】
［１−２．実施の形態の具体例］
［１−２−１．携帯端末の外観構成］
次いで、図２を用いて、上述した表示制御装置１の具体例である携帯端末１０の外観構成について説明する。携帯端末１０は、略扁平矩形状の第１筐体１１と第２筐体１２とが、ヒンジ部１３Ａ及び１３Ｂを介して開閉自在に連結され、全体として片手で把持し得る程度の大きさに形成されている。
【００２３】
第１筐体１１の前面１１Ａの中央部には、長方形状の第１タッチスクリーン１４が設けられている。また第２筐体１２の前面１２Ａの中央部にも、第１タッチスクリーン１４と同形状、同サイズでなる第２タッチスクリーン１５が設けられている。
【００２４】
第１タッチスクリーン１４は、第１液晶パネルと、当該第１液晶パネル上に、その表示面を覆うように積層配置された静電容量式の第１タッチパネルとから構成されている。
【００２５】
また第１タッチパネルは、透明な薄いシート状に形成され、第１液晶パネルの表示面に表示される画像が、第１タッチスクリーン１４の正面側から見えるようにしている。
【００２６】
第２タッチスクリーン１５は、第１タッチスクリーン１４と同様に、第２液晶パネルと、当該第２液晶パネル上に、その表示面を覆うように積層配置された静電容量式の第２タッチパネルとから構成されている。
【００２７】
また第２タッチパネルも、第１タッチパネルと同様に透明な薄いシート状に形成され、第２液晶パネルの表示面に表示される画像が、第２タッチスクリーン１５の正面側から見えるようにしている。
【００２８】
そして第１タッチパネル及び第２タッチパネルは、その操作面に対してユーザの指やユーザにより使用される金属製のタッチペン等のような導体でなる操作体によって接触操作及び近接操作が行われるものである。
【００２９】
因みに、以下の説明では、第１タッチパネルの操作面を、第１操作面とも呼び、第２タッチパネルの操作面を、第２操作面とも呼ぶ。
【００３０】
ここで、接触操作とは、第１タッチパネルの第１操作面や第２タッチパネルの第２操作面に操作体で触って行う操作（以下、これをタッチ操作とも呼ぶ）である。
【００３１】
また近接操作とは、第１タッチパネルの第１操作面や第２タッチパネルの第２操作面に触れずに、これら第１操作面や第２操作面に操作体を近づけて行う操作のことである。なお、第１タッチパネル及び第２タッチパネルは、マルチタッチに対応する。
【００３２】
よって携帯端末１０は、第１タッチスクリーン１４及び第２タッチスクリーン１５の表面（すなわち、第１操作面及び第２操作面）に対する操作体によるタッチ操作及び近接操作を、操作入力として受け付けるようになされている。
【００３３】
また携帯端末１０は、通常、第１筐体１１の前面１１Ａを目線の下側に位置させ、第２筐体１２の前面１２Ａを目線の上側に位置させるような姿勢で使用される。
【００３４】
よって携帯端末１０は、このような通常の使用の姿勢により、第１タッチスクリーン１４を下画面とし、第２タッチスクリーン１５を上画面として、これらの画面（すなわち、第１液晶パネルの表示面や第２液晶パネルの表示面）に各種画像を表示する。
【００３５】
さらに携帯端末１０の第１筐体１１の前面１１Ａには、第１タッチスクリーン１４の両脇に、電源ボタン等の各種操作ボタン１６も設けられている。
【００３６】
因みに、以下の説明では、第１液晶パネル１４Ａの表示面及び第１タッチパネル１４Ｂの第１操作面において、画面垂直方向の一方向側であるヒンジ部１３Ａ及び１３Ｂ側を上とも呼び、当該画面垂直方向の他方向側を下とも呼ぶ。
【００３７】
また、以下の説明では、第１液晶パネル１４Ａの表示面及び第１タッチパネル１４Ｂの第１操作面において、画面水平方向の一方向側を左とも呼び、当該画面水平方向の他方向側を右とも呼ぶ。
【００３８】
さらに、以下の説明では、第２液晶パネル１５Ａの表示面及び第２タッチパネル１５Ｂの第２操作面において、画面垂直方向の一方向側を上とも呼び、当該画面垂直方向の他方向側であるヒンジ部１３Ａ及び１３Ｂ側を下とも呼ぶ。
【００３９】
さらに、以下の説明では、第２液晶パネル１５Ａの表示面及び第２タッチパネル１５Ｂの第２操作面において、画面水平方向の一方向側を左とも呼び、当該画面水平方向の他方向側を右とも呼ぶ。
【００４０】
［１−２−２．携帯端末のハードウェア構成］
次いで、図３を用いて、携帯端末１０のハードウェア構成について説明する。携帯端末１０には、ＣＰＵ（Central  Processing  Unit）でなる制御部２０が設けられている。
【００４１】
そして制御部２０は、不揮発性メモリ２１から、これに予め記憶されているプログラムをＲＡＭ（Random  Access  Memory）２２に読み出して展開し、そのプログラムに従って各種処理を実行すると共に各部を制御する。
【００４２】
これにより制御部２０は、第１タッチスクリーン１４及び第２タッチスクリーン１５の表面に対してタッチ操作や近接操作が行われたか否かを検出する。
【００４３】
そして制御部２０は、第１タッチスクリーン１４及び第２タッチスクリーン１５の表面に対してタッチ操作や近接操作が行われたことを検出すると、そのタッチ操作や近接操作によって入力された命令や指示を判別して、その命令や指示に応じた処理を実行する。
【００４４】
実際に第１タッチスクリーン１４は、上述のように画像を表示する第１液晶パネル１４Ａと、静電容量式の第１タッチパネル１４Ｂとから構成されている。
【００４５】
第１タッチパネル１４Ｂは、例えば、第１液晶パネル１４Ａの複数の画素に対向させて、第１操作面の内側にマトリクス状に配置された複数の静電センサ（図示せず）を有している。
【００４６】
複数の静電センサは、それぞれ導体でなる操作体が近づくと静電容量が変化し、その静電容量の変化に応じて出力値も変化する。
【００４７】
図４に示すように、例えば、第１タッチパネル１４Ｂの第１操作面に操作体として例えば、指先が３０［ｍｍ］の距離まで近づけられると、当該第１操作面において指先の真下に位置する静電センサの出力値は「１０」になる。
【００４８】
また例えば、第１タッチパネル１４Ｂの第１操作面に操作体としての指先が１５［ｍｍ］の距離まで近づけられると、当該第１操作面において指先の真下に位置する静電センサの出力値は「２０」になる。
【００４９】
さらに例えば、第１タッチパネル１４Ｂの第１操作面に操作体としての指先が５［ｍｍ］の距離まで近づけられると、当該第１操作面において指先の真下に位置する静電センサの出力値は「４０」になる。
【００５０】
さらに例えば、第１タッチパネル１４Ｂの第１操作面に操作体としての指先が接触すると、当該第１操作面において指先と接触した部分に位置する静電センサ出力値は最大の「８０」となる。
【００５１】
よって制御部２０は、格段的に短い例えば、数［ｍｓｅｃ］又は数［μｓｅｃ］のような所定の一定時間毎に領域検出処理を実行する。
【００５２】
制御部２０は、領域検出処理を実行した場合、第１タッチパネル１４Ｂから各静電センサそれぞれの出力値を、当該静電センサの配置位置を示す位置情報と共にパネル出力信号として取得する。
【００５３】
因みに、静電センサの配置位置は、例えば、当該静電センサと対向する第１液晶パネル１４Ａの画素位置の座標（すなわち、第１液晶パネル１４Ａにおいて静電センサと対向する画素が配置された位置を示す２次元座標）で示されている。
【００５４】
そして図５（Ａ）及び（Ｂ）に示すように、制御部２０は、そのパネル出力信号に含まれる各静電センサの出力値を、予め選定された例えば「５０」の値でなる第１の閾値、及び例えば「２０」の値でなる第２の閾値と順次比較する。
【００５５】
また制御部２０は、その比較結果と、パネル出力信号に含まれる位置情報とに基づき、第１操作面において、第１の閾値以上の出力値を得た静電センサがまとまっている１又は複数の領域ＴＡ１を、それぞれ操作体が接触している領域ＴＡ１として検出する。
【００５６】
因みに、以下の説明では、第１タッチパネル１４Ｂの第１操作面や第２タッチパネル１５Ｂの第２操作面において、操作体が接触している１又は複数の領域ＴＡ１を、それぞれ接触領域ＴＡ１とも呼ぶ。
【００５７】
実際に制御部２０は、第１操作面において、１又は複数の接触領域ＴＡ１を、それぞれ第１の閾値以上の出力値を得た静電センサと対向する画素位置の座標として検出する。
【００５８】
制御部２０は、このように１又は複数の接触領域ＴＡ１を検出すると、当該検出した１又は複数の接触領域ＴＡ１それぞれの例えば、重心位置Ｐ１も、対向する画素位置の座標として検出する。
【００５９】
また制御部２０は、この際、その比較結果と位置情報とに基づき、第１操作面において、第２の閾値以上でかつ第１の閾値未満の出力値を得た静電センサがまとまっている１又は複数の領域ＣＡ１を、それぞれ操作体が近接して陰になる領域ＣＡ１として検出する。
【００６０】
因みに、以下の説明では、第１操作面や第２操作面において、操作体が近接して陰になる１又は複数の領域ＣＡ１（すなわち、操作体の近接部分を第１操作面や第２操作面に投影したような１又は複数の領域ＣＡ１）を、それぞれ近接領域ＣＡ１とも呼ぶ。
【００６１】
また、以下の説明では、静電センサの出力値が第２の閾値以上でかつ第１の閾値未満となる近接領域ＣＡ１を検出し得るような第１操作面や第２操作面から操作体までの距離の範囲を、近接検出距離範囲とも呼ぶ。
【００６２】
実際に制御部２０は、第１操作面において、１又は複数の接触領域ＴＡ１を、それぞれ第２の閾値以上でかつ第１の閾値未満の出力値を得た静電センサと対向する画素位置の座標として検出する。
【００６３】
制御部２０は、このように１又は複数の近接領域ＣＡ１を検出したときにも、当該検出した１又は複数の近接領域ＣＡ１それぞれの例えば、重心位置Ｐ２も、対向する画素位置の座標として検出する。
【００６４】
ところで、第１タッチパネル１４Ｂの第１操作面に対してタッチ操作が行われる場合、第１操作面には、指のような操作体が斜めに傾けられた状態で、その操作体の先端部のみ接触する場合がある。
【００６５】
この場合、第１タッチパネル１４Ｂでは、第１操作面において操作体の接触部分に位置する静電センサの出力値は、上述のように最大の「８０」となる。
【００６６】
また第１タッチパネル１４Ｂでは、第１操作面において操作体の陰になる部分（操作体の真下で接触していない部分）に位置する静電センサの出力値は、例えば、当該操作体の接触部分から離れるほど、小さな値となる。
【００６７】
このため制御部２０は、単に静電センサの出力値と第１及び第２の閾値との比較結果を用いると、第１操作面に先端部が接触した操作体の陰になる部分のうち、その先端部側を当該先端部の接触部分と共に接触領域ＴＡ１として検出する。
【００６８】
また制御部２０は、この際、第１操作面に対する操作体の角度によっては、当該第１操作面に先端部が接触した操作体の陰になる部分のうち、その先端部から離れた部分を、接触領域ＴＡ１に繋がる近接領域ＣＡ１として検出する場合がある。
【００６９】
ただし、制御部２０は、タッチ操作と近接操作とを異なる命令の入力や異なる指示のための操作として採用し、そのタッチ操作や近接操作が行われたことを個別に検出するために、接触領域ＴＡ１や近接領域ＣＡ１を検出している。
【００７０】
このため制御部２０は、静電センサの出力値と第１及び第２の閾値との比較結果に基づき、接触領域ＴＡ１と、これに繋がる近接領域ＣＡ１とを同時に検出すると、一方の接触領域ＴＡ１の検出のみを有効にし、他方の近接領域ＣＡ１の検出については無効にする。
【００７１】
すなわち、制御部２０は、接触領域ＴＡ１と、これに繋がる近接領域ＣＡ１とを同時に検出すると、第１操作面に対して行われたタッチ操作による接触領域ＴＡ１を検出したものとし、近接領域ＣＡ１の検出は誤検出として取り消す。
【００７２】
これにより制御部２０は、第１操作面に対してタッチ操作が行われたとき、近接領域ＣＡ１を検出して近接操作が行われたものと誤って判断し、誤動作（すなわち、誤った処理を実行）することを回避している。
【００７３】
さらに制御部２０は、この際、その比較結果と位置情報とに基づき、第１操作面において、第２の閾値未満の出力値を得た静電センサがまとまっている１又は複数の領域ＮＡ１を、それぞれ操作体が接触も近接もしていない領域ＮＡ１として検出する。
【００７４】
因みに、以下の説明では、第１タッチパネル１４Ｂの第１操作面や第２タッチパネル１５Ｂの第２操作面において、操作体が接触も近接もしていない１又は複数の領域ＮＡ１を、それぞれ非近接領域ＮＡ１とも呼ぶ。
【００７５】
なお制御部２０は、この際、第１操作面において、１又は複数の非近接領域ＮＡ１を、それぞれ第２の閾値未満の出力値を得た静電センサと対向する画素位置の座標として検出する。
【００７６】
このように制御部２０は、領域検出処理を実行する毎に、第１タッチパネル１４Ｂの第１操作面において１又は複数の接触領域ＴＡ１、１又は複数の近接領域ＣＡ１、１又は複数の非近接領域ＮＡ１を区別するようにして検出する。
【００７７】
そして制御部２０は、第１タッチパネル１４Ｂの第１操作面における接触領域ＴＡ１、近接領域ＣＡ１、非近接領域ＮＡ１を区別するように検出することで、第１操作面に操作体が接触しているのか、それとも近接しているだけなのかを認識することができる。
【００７８】
また制御部２０は、この際、第１タッチパネル１４Ｂの第１操作面において、どの位置に操作体が接触又は近接しているのかを認識することもできる。
【００７９】
さらに制御部２０は、第１タッチパネル１４Ｂの第１操作面に対する操作体の接触領域ＴＡ１の形や大きさ、当該第１操作面に対する操作体の近接領域ＣＡ１の形や大きさ等を認識することもできる。
【００８０】
制御部２０は、このように一定時間毎に第１タッチパネル１４Ｂからパネル出力信号を取得し、第１操作面上における接触領域ＴＡ１、近接領域ＣＡ１、非近接領域ＮＡ１を判別していくことで、これらの変移を検出する。
【００８１】
また制御部２０は、その変移をもとに、第１タッチパネル１４Ｂの第１操作面上での操作体の動きを特定し、その特定した操作体の動きをもとに、第１操作面に対して行われたタッチ操作及び近接操作を認識する。
【００８２】
そして制御部２０は、その認識したタッチ操作及び近接操作によって入力された命令を判別し、その命令や指示に応じた処理を実行する。
【００８３】
このようにして制御部２０は、第１タッチスクリーン１４の第１操作面に対してタッチ操作や近接操作が行われると、これを操作入力として受け付け、この操作入力に応じた処理を実行する。
【００８４】
一方、第２タッチスクリーン１５は、上述のように画像を表示する第２液晶パネル１５Ａと、静電容量式の第２タッチパネル１５Ｂとから構成されている。
【００８５】
第２タッチパネル１５Ｂは、第１タッチパネル１４Ｂと同様に構成され、例えば、第２液晶パネル１５Ａの複数の画素に対向させて、第２操作面の内側にマトリクス状に配置された複数の静電センサ（図示せず）を有している。
【００８６】
そして第２タッチパネル１５Ｂの複数の静電センサも、それぞれ導体でなる操作体が近づくと、第１タッチパネル１４Ｂの複数の静電センサの場合と同様に静電容量が変化し、その静電容量の変化に応じて出力値も変化する。
【００８７】
よって制御部２０は、一定時間毎に領域検出処理を実行すると、第１タッチパネル１４Ｂの場合と同様に第２タッチパネル１５Ｂからも各静電センサそれぞれの出力値を、当該静電センサの配置位置を示す位置情報と共にパネル出力信号として取得する。
【００８８】
因みに、静電センサの配置位置は、例えば、当該静電センサと対向する第２液晶パネル１５Ａの画素位置の座標（すなわち、第２液晶パネル１５Ａにおいて静電センサと対向する画素が配置された位置を示す２次元座標）で示されている。
【００８９】
そして制御部２０は、領域検出処理において、第２タッチパネル１５Ｂからパネル出力信号を取得すると、そのパネル出力信号を用いて、第２操作面において１又は複数の接触領域や１又は複数の近接領域を、これらの重心位置と共に適宜検出する。
【００９０】
また制御部２０は、領域検出処理を実行する毎に、第２タッチパネル１５Ｂの第２操作面において１又は複数の非近接領域も検出する。
【００９１】
すなわち、制御部２０は、領域検出処理を実行する毎に、第２タッチパネル１５Ｂの第２操作面における１又は複数の接触領域、１又は複数の近接領域、１又は複数の非近接領域も区別するようにして検出する。
【００９２】
よって制御部２０は、第２タッチパネル１５Ｂの第２操作面においても、当該第２操作面に操作体が接触しているのか、それとも近接しているだけなのかを認識することができる。
【００９３】
また制御部２０は、この際、第２タッチパネル１５Ｂの第２操作面において、どの位置に操作体が接触又は近接しているのかを認識することもできる。
【００９４】
さらに制御部２０は、第２タッチパネル１５Ｂの第２操作面に対する操作体の接触領域の形や大きさ、当該第２操作面に対する操作体の近接領域の形や大きさ等を認識することもできる。
【００９５】
制御部２０は、このように一定時間毎に第２タッチパネル１５Ｂからパネル出力信号を取得して、第２操作面上における接触領域、近接領域、非近接領域を判別していくことで、これらの変移を検出する。
【００９６】
また制御部２０は、その変移をもとに、第２タッチパネル１５Ｂの第２操作面上での操作体の動きを特定し、その特定した操作体の動きをもとに、第２操作面に対して行われたタッチ操作及び近接操作を認識する。
【００９７】
そして制御部２０は、その認識したタッチ操作及び近接操作によって入力された命令や指示を判別し、その命令や指示に応じた処理を実行する。
【００９８】
このようにして制御部２０は、第２タッチスクリーン１５の第２操作面に対してタッチ操作や近接操作が行われると、これを操作入力として受け付け、この操作入力に応じた処理を実行する。
【００９９】
ところで、第１タッチパネル１４Ｂの第１操作面や第２タッチパネル１５Ｂの第２操作面に対して行われるタッチ操作としては、当該第１操作面や第２操作面に例えば、操作体としての１本の指をほぼ一点に接触させて直ちに離すような操作がある。
【０１００】
因みに、以下の説明では、第１操作面や第２操作面に操作体としての１本の指を接触させて直ちに離すような操作を、特にタップ操作とも呼ぶ。このタップ操作は、例えば、画像内のアイコンやボタン等の指示項目を指示するために行われる操作である。
【０１０１】
また第１タッチパネル１４Ｂの第１操作面や第２タッチパネル１５Ｂの第２操作面に対して行われるタッチ操作としては、当該第１操作面や第２操作面に例えば、操作体としての１本の指を接触させたまま移動させるような操作等もある。
【０１０２】
因みに、以下の説明では、第１操作面や第２操作面に操作体としての１本の指を接触させたまま移動させるような操作を、特に摺動操作とも呼ぶ。この摺動操作は、例えば、表示中の画像をスクロールさせて表示部分を変更するために行われる操作である。
【０１０３】
よって制御部２０は、領域検出処理を実行する毎に、第１タッチパネル１４Ｂから取得したパネル出力信号に基づき接触領域を重心位置と共に検出すると、その一連の検出結果に基づき、第１操作面に対して行われたタッチ操作の種類を判別する。
【０１０４】
実際に制御部２０は、領域検出処理の実行間隔である上述の一定時間で、タッチ操作や近接操作を行っている操作体が移動可能な最大移動距離を示す最大移動距離情報を予め保持している。
【０１０５】
そして制御部２０は、領域検出処理を実行して第１タッチパネル１４Ｂからパネル出力信号を取得し１個の接触領域を重心位置と共に検出すると、その都度、前回（１回前）の領域検出処理で接触領域を検出していたか否かを判別する。
【０１０６】
その結果、制御部２０は、前回の領域検出処理で接触領域を全く検出していないと、今回の領域検出処理で検出した１個の接触領域を、第１操作面に対する操作体の接触開始時点の接触領域であると判別する。
【０１０７】
これに対し制御部２０は、前回の領域検出処理で接触領域を検出していると、前回の領域検出処理で検出した重心位置と、今回の領域検出処理で検出した重心位置との間の距離（以下、これを重心間距離とも呼ぶ）を総当たりで算出する。
【０１０８】
また制御部２０は、その算出した１又は複数の重心間距離を、それぞれ最大移動距離と比較する。そして制御部２０は、その比較結果に基づき、今回の領域検出処理において、前回の領域検出処理で検出した重心位置から最大移動距離以内の重心位置を検出しているか否かを判別する。
【０１０９】
その結果、制御部２０は、今回の領域検出処理で、前回の重心位置から最大移動距離以内の重心位置を検出していると、その前回及び今回の重心位置に対応する前回及び今回の接触領域を、同一の操作体（例えば、同一の指）による接触領域であると判別する。
【０１１０】
すなわち、制御部２０は、今回の領域検出処理で、前回の重心位置から最大移動距離以内の重心位置を検出すると、その今回の重心位置に対応する接触領域を、前回の領域検出処理のときから第１操作面に接触している操作体の接触領域であると判別する。
【０１１１】
また制御部２０は、今回の領域検出処理で、前回の何れの重心位置からも最大移動距離を越えて離れた重心位置を検出すると、今回の重心位置に対応する接触領域を、第１操作面に対する新たな操作体（他の操作体）の接触開始時点の接触領域であると判別する。
【０１１２】
さらに制御部２０は、今回の領域検出処理で、前回の何れかの重心位置との重心間距離が最大移動距離以下である重心位置を検出していないと、その前回の重心位置に対応する接触領域が、第１操作面に対する操作体の接触終了時点の接触領域であると判別する。
【０１１３】
すなわち、制御部２０は、今回の領域検出処理で、前回の重心位置からの重心間距離が最大移動距離以下である重心位置の接触領域を検出していないと、前回の重心位置に対応する接触領域が、第１操作面から操作体が離される直前の接触領域であると判別する。
【０１１４】
また制御部２０は、領域検出処理を実行しても接触領域を全く検出しないと、この場合も、前回（１回前）の領域検出処理で接触領域を検出していたか否かを判別する。
【０１１５】
その結果、制御部２０は、前回の領域検出処理で接触領域を検出していると、その前回の接触領域が、第１操作面に対する操作体の接触終了時点の接触領域であると判別する。
【０１１６】
すなわち、制御部２０は、前回の領域検出処理で接触領域を検出していても、今回の領域検出処理で接触領域を全く検出しないと、その前回の接触領域が、第１操作面から操作体が離される直前の接触領域であると判別する。
【０１１７】
このようにして制御部２０は、領域検出処理を順次実行することにより、タッチ操作が開始されるときには、第１操作面に操作体が接触する毎に接触領域を検出する。
【０１１８】
また制御部２０は、領域検出処理を順次実行することにより、第１操作面に操作体が接触している間（第１操作面に対してタッチ操作が行われている間）は、その操作体による１個の接触領域を順次追跡するように検出する。
【０１１９】
すなわち、制御部２０は、領域検出処理を実行して操作体の接触開始時点の１個の接触領域を検出すると、引き続き領域検出処理を順次実行して、その操作体による１個の接触領域を当該操作体の接触終了時点まで追跡する。
【０１２０】
このような構成のもと、制御部２０は、例えば、接触領域を全く検出していない状態（第１操作面に対してタッチ操作が行われていない状態）で、１個の接触領域を操作体の接触開始時点の接触領域として検出すると、このときタッチ操作が開始されたと判断する。
【０１２１】
この際、制御部２０は、そのタッチ操作の開始の判断に応じて、例えば、図示しないタイマにより、第１操作面に対して行われるタッチ操作により当該第１操作面に操作体が接触している時間（以下、これを接触時間）の計時を開始する。
【０１２２】
また制御部２０は、そのタッチ操作の開始に応じて、例えば、操作体の接触開始時点の接触領域の重心位置を起点として、その操作体の移動軌跡の検出も開始する。
【０１２３】
因みに、制御部２０は、タッチ操作の開始以降、領域検出処理を実行して当該タッチ操作による接触領域を重心位置と共に検出する毎に、起点（重心位置）から、その検出した重心位置を順に辿るようにして操作体の移動軌跡を検出する。
【０１２４】
そして制御部２０は、接触時間を、タップ操作の判別用に予め選定された例えば、１［ｓｅｃ］以下のような所定時間（以下、これをタップ判別時間とも呼ぶ）と比較する。
【０１２５】
その結果、制御部２０は、接触時間がタップ判別時間に達する前にタッチ操作が終了して当該接触時間の計時を終了すると、そのときまでに検出した移動軌跡が、起点（重心位置）を中心にした所定半径の円内に収まっているか否かを判別する。
【０１２６】
因みに、起点を中心とした円は、タッチ操作の種類を判別するために用いるものであり、以下の説明では、その円を種類判別円とも呼ぶ。そして種類判別円の半径は、例えば、１［ｍｍ］以下のような所定長さに予め選定されている。
【０１２７】
制御部２０は、タッチ操作の開始から終了までの操作体の移動軌跡が、種類判別円内に収まっていると、このとき第１操作面に対して行われたタッチ操作がタップ操作であると判別する。
【０１２８】
そして制御部２０は、タップ操作による操作体の接触終了時点の接触領域の重心位置（すなわち、画素位置の座標で示す重心位置）を、このとき第１液晶パネル１４Ａの表示面に表示している画像内で、当該タップ操作により指示されたタップ指示位置とする。
【０１２９】
因みに、制御部２０は、タッチ操作の開始から終了までの操作体の移動軌跡が、種類判別円の外側にまで伸びていると、このとき第１操作面に対して行われたタッチ操作がタップ操作ではないと判別する。
【０１３０】
また制御部２０は、タイマにより計時している接触時間がタップ判別時間を越えると、重心位置の検出に応じて操作体の移動軌跡を順次更新する毎に、当該更新した移動軌跡が種類判別円の外側にまで伸びたか否かを判別する。
【０１３１】
その結果、制御部２０は、タップ判別時間を越えて行われているタッチ操作において操作体の移動軌跡が種類判別円の外側にまで伸びたことを検出すると、このとき第１操作面に対して行われたタッチ操作が、摺動操作であると判別する。
【０１３２】
この場合、制御部２０は、タッチ操作が摺動操作であると判別した時点（以下、これを摺動操作判別時点とも呼ぶ）以降も当該摺動操作が終了するまでの間、重心位置の検出に応じて操作体の移動軌跡を順次更新する。そして制御部２０は、その摺動操作による操作体の移動軌跡を、例えば、画像のスクロールに利用する。
【０１３３】
因みに、制御部２０は、タップ判別時間を越えて行われているタッチ操作において操作体の移動軌跡が種類判別円内に収まったまま、そのタッチ操作が終了すると、このとき第１操作面に操作体が誤って接触しており、タッチ操作は行われていないと判別する。
【０１３４】
このようにして制御部２０は、第１タッチパネル１４Ｂの第１操作面に対して例えば、操作体としての１本の指でタップ操作が行われたことを検出することができる。
【０１３５】
また制御部２０は、第１タッチパネル１４Ｂの第１操作面に対して例えば、操作体としての１本の指で摺動操作が行われたことも検出することができる。
【０１３６】
一方、制御部２０は、領域検出処理を実行して、第２タッチパネル１５Ｂから取得したパネル出力信号に基づき接触領域を重心位置と共に検出すると、この場合も、第１操作面に対して行われたタッチ操作の種類を判別するための処理と同様の処理を実行する。
【０１３７】
これにより制御部２０は、第２タッチパネル１５Ｂの第２操作面に対して例えば、操作体としての１本の指によりタップ操作が行われたことを検出することができる。
【０１３８】
また制御部２０は、第２タッチパネル１５Ｂの第２操作面に対して例えば、操作体としての１本の指により摺動操作が行われたことも検出することができる。
【０１３９】
ところで、例えば、不揮発性メモリ２１には、種々の命令を入力するための指示項目が配置されたメニュー画像のような種々の画像の画像データが予め記憶されている。また不揮発性メモリ２１には、その画像毎に生成された命令判別テーブルも予め記憶されている。
【０１４０】
因みに、個々の命令判別テーブルには、対応する画像内の指示項目の配置領域を画素位置の座標で示す配置領域情報と、その指示項目に割り当てられた入力可能な命令とが対応付けられて格納されている。
【０１４１】
よって制御部２０は、不揮発性メモリ２１から画像データを読み出して例えば、第１液晶パネル１４Ａに当該画像データに基づく画像を表示した場合、不揮発性メモリ２１から、その画像データに対応する命令判別テーブルを命令判別用にＲＡＭ２２に読み出す。
【０１４２】
この状態で制御部２０は、第１タッチパネル１４Ｂの第１操作面に対してタップ操作が行われたことを検出すると、命令判別テーブルに格納された複数の配置領域情報が示す配置領域の中から、そのタップ操作によるタップ指示位置を含む配置領域を検出する。
【０１４３】
そして制御部２０は、命令判別テーブルに基づき、このときのタップ操作によって入力された命令（すなわち、そのタップ指示位置を含む配置領域に対応付けられた命令）を判別する。
【０１４４】
このようにして制御部２０は、タップ操作により入力された命令を判別して、当該判別した命令に応じた処理を実行する。
【０１４５】
また制御部２０は、第１液晶パネル１４Ａに画像を表示した場合、その画像全体を表示面に表示し得ているか否かを判別し、その判別結果に応じて、画像のスクロールが可能であるか否かを認識している。
【０１４６】
よって制御部２０は、画像のスクロールが可能な状態で第１操作面に対して摺動操作が行われたことを検出すると、第１液晶パネル１４Ａに表示中の画像を、このとき検出している移動軌跡に基づき、例えば、操作体の移動に追従させるようにスクロールさせる。
【０１４７】
因みに、制御部２０は、画像をスクロールし得ない状態で第１操作面に対して摺動操作が行われたことを検出すると、その検出を無効にする。
【０１４８】
また制御部２０は、第２液晶パネル１５Ａに画像を表示した状態で、第２タッチパネル１５Ｂの第２操作面に対してタップ操作が行われたことを検出したときも、同様に、そのタップ操作によって入力された命令を判別する。
【０１４９】
そして制御部２０は、このようにタップ操作により入力された命令を判別すると、その判別した命令に応じた処理を実行する。
【０１５０】
さらに制御部２０は、第２液晶パネル１５Ａに画像を表示した場合も、その画像全体を表示面に表示し得ているか否かを判別し、その判別結果に応じて、画像のスクロールが可能であるか否かを認識している。
【０１５１】
よって制御部２０は、画像のスクロールが可能な状態で第２操作面に対して摺動操作が行われたことを検出すると、第２液晶パネル１５Ａに表示中の画像を、このとき検出している移動軌跡に基づき、例えば、操作体の移動に追従させるようにスクロールさせる。
【０１５２】
因みに、制御部２０は、画像をスクロールし得ない状態で第２操作面に対して摺動操作が行われたことを検出すると、この場合も、その検出を無効にする。
【０１５３】
実際に制御部２０は、例えば、第１液晶パネル１４Ａに、音楽データを再生するための再生命令が割り当てられた指示項目（再生ボタン）を有する画像を表示した状態で、その指示項目がタップ操作により指示されると、再生命令が入力されたと認識する。
【０１５４】
この場合、制御部２０は、再生命令の入力に応じて不揮発性メモリ２１から、音楽データを読み出して再生部２３に送出する。
【０１５５】
再生部２３は、制御部２０の制御のもと、音楽データに対して、デコード処理、デジタアナログ変換処理、増幅処理等の再生処理を施すことで、音楽信号を生成してヘッドホン端子（図示せず）から出力する。
【０１５６】
これにより制御部２０は、ヘッドホン端子に接続されたヘッドホンを介してユーザに音楽を聴かせることができる。
【０１５７】
このとき制御部２０は、不揮発性メモリ２１から、その音楽データに関連する曲タイトルやアーティスト名等の情報を読み出して、例えば第２液晶パネル１５Ａに表示する。
【０１５８】
これにより制御部２０は、再生中の音楽に関する情報を、第２液晶パネル１５Ａを介してユーザに提示することができる。
【０１５９】
また、制御部２０は、例えば、第１液晶パネル１４Ａに、Ｗｅｂブラウザを起動するための起動命令が割り当てられた指示項目を有する画像を表示した状態で、その指示項目がタップ操作により指示されると、起動命令が入力されたと認識する。
【０１６０】
この場合、図６に示すように、制御部２０は、起動命令の入力に応じてＷｅｂブラウザを起動して、第２液晶パネル１５Ａから第１液晶パネル１４Ａに亘ってＷｅｂブラウザ画像３０を表示する。
【０１６１】
すなわち、制御部２０は、この際、第２液晶パネル１５Ａ及び第１液晶パネル１４Ａの両方の表示面をあたかも１つの表示面と見なして、これら表示面にＷｅｂブラウザ画像３０を表示する。
【０１６２】
また制御部２０は、このときネットワークインタフェース２４を介して、ネットワーク上のサーバからＷｅｂページのページデータを受信して、そのページデータに基づくページ画像３１を、Ｗｅｂブラウザ画像３０内に表示する。
【０１６３】
これにより制御部２０は、第１液晶パネル１４Ａ及び第２液晶パネル１５Ａを介してユーザに、Ｗｅｂブラウザ画像３０と共にＷｅｂページ（すなわち、ページ画像３１）を閲覧させることができる。
【０１６４】
この際、制御部２０は、例えば、第１タッチパネル１４Ｂの第１操作面に対して操作体を矢印ａに示す下側から上側へ移動させる摺動操作が行われたことを検出すると、Ｗｅｂブラウザ画像３０全体をページ画像３１と共に上方向へスクロールさせる。
【０１６５】
また制御部２０は、例えば、このとき第２タッチパネル１５Ｂの第２操作面に対して操作体を下側から上側へ移動させる摺動操作が行われたことを検出しても、Ｗｅｂブラウザ画像３０全体をページ画像３１と共に上方向へスクロールさせる。
【０１６６】
さらに制御部２０は、この際、第１操作面や第２操作面に対して操作体を上側から下側へ移動させる摺動操作が行われると、これに応じて、Ｗｅｂブラウザ画像３０全体をページ画像３１と共に下方向へスクロールさせることもできる。
【０１６７】
これにより制御部２０は、第２液晶パネル１５Ａ及び第１液晶パネル１４Ａの両方の表示面に亘ってページ画像３１全体を表示しきれない場合でも、そのページ画像３１を適宜スクロールさせて、くまなく見せることができる。
【０１６８】
ところで、ページ画像３１には、種々の命令が割り当てられた指示項目が配置されている。そしてページ画像３１には、指示項目の配置領域を画像内の座標で示す画像内位置情報と、当該指示項目に割り当てられた命令とが対応付けられて付加されている。
【０１６９】
制御部２０は、ページ画像３１の指示項目を第１液晶パネル１４Ａに表示すると、指示項目に割り当てられた命令に、第１液晶パネル１４Ａでの当該指示項目の表示領域を画素位置の座標で示す表示領域情報を対応付ける。
【０１７０】
また制御部２０は、ページ画像３１の指示項目を第２液晶パネル１５Ａに表示すると、指示項目に割り当てられた命令に、第２液晶パネル１５Ａでの当該指示項目の表示領域を画素位置の座標で示す表示領域情報を対応付ける。
【０１７１】
因みに、制御部２０は、ページ画像３１をスクロールさせて指示項目の表示領域が変位した場合、その指示項目に割り当てられた命令に対応付ける表示領域情報を、変位後の表示領域を画素位置の座標で示す表示領域情報に変更する。
【０１７２】
よって制御部２０は、第１タッチパネル１４Ｂの第１操作面に対してタップ操作が行われたことを検出すると、第１液晶パネル１４Ａでの１又は複数の表示領域情報が示す表示領域の中から、そのタップ操作によるタップ指示位置を含む表示領域を検出する。
【０１７３】
これにより制御部２０は、このときページ画像３１上でタップ操作によって入力された命令（すなわち、そのタップ指示位置を含む表示領域を対応付けた命令）を判別する。
【０１７４】
また制御部２０は、第２タッチパネル１５Ｂの第２操作面に対してタップ操作が行われたことを検出すると、第２液晶パネル１５Ａでの１又は複数の表示領域情報が示す表示領域の中から、そのタップ操作によるタップ指示位置を含む表示領域を検出する。
【０１７５】
これにより制御部２０は、このときページ画像３１上でタップ操作によって入力された命令（すなわち、そのタップ指示位置を含む表示領域を対応付けた命令）を判別する。
【０１７６】
そして制御部２０は、このようにタップ操作により入力された命令を判別すると、当該判別した命令に応じて、例えば、サーバから新たなページデータを受信して、そのページデータに基づくページ画像を表示するような処理を実行する。
【０１７７】
このようにして制御部２０は、ページ画像３１のように外部から取得した画像を表示した場合も、その画像上でタップ操作が行われると、そのタップ操作によって入力された命令を判別して、対応する処理を実行する。
【０１７８】
［１−２−３．近接操作に応じた表示制御処理］
ところで、第１タッチパネル１４Ｂの第１操作面や第２タッチパネル１５Ｂの第２操作面に対して行われる近接操作としては、当該第１操作面や第２操作面に操作体を、ほとんど第１操作面上や第２操作面上を移動させずに近接させたままにするような操作がある。
【０１７９】
因みに、以下の説明では、第１操作面や第２操作面に操作体を、ほとんど第１操作面上や第２操作面上を移動させずに近接させたままにするような操作を、特に近接継続操作とも呼ぶ。
【０１８０】
この近接継続操作は、第１液晶パネル１４Ａや第２液晶パネル１５Ａに画像を表示している際、当該画像の一部を拡大対象部分として、その拡大対象部分を任意の拡大率で拡大して表示するために行われる操作である。
【０１８１】
ここで、制御部２０は、上述のように第１操作面や第２操作面において一箇所にだけ操作体が近接されると、近接領域を１個だけ検出し、第１操作面や第２操作面において複数箇所にそれぞれ操作体が近接されると、１度に複数の近接領域を検出することができる。
【０１８２】
よって近接継続操作は、その近接継続操作により検出される近接領域の大きさ、近接領域の個数、複数の近接領域の位置関係等により、所望の指示領域を指示し得るようになされている。
【０１８３】
そして近接継続操作は、その指示領域に基づき、さらに画像の一部である拡大対象部分を大まかに指示すると共に、当該拡大対象部分の拡大率も任意に指示し得るようになされている。
【０１８４】
このため近接継続操作は、第１操作面や第２操作面に対して例えば、１本の指で行われる（第１操作面や第２操作面に１本の指だけが近接される）場合や、複数の指で行われる（第１操作面や第２操作面に複数の指が同時に近接される）場合等がある。
【０１８５】
また第１タッチパネル１４Ｂの第１操作面や第２タッチパネル１５Ｂの第２操作面に対して行われる近接操作としては、操作体を第１操作面や第２操作面に近接させたまま当該第１操作面上や第２操作面上を移動させるような操作もある。
【０１８６】
因みに、以下の説明では、操作体を第１操作面や第２操作面に近接させたまま当該第１操作面上や第２操作面上を移動させるような操作を、特に近接移動操作とも呼ぶ。
【０１８７】
この近接移動操作は、第１液晶パネル１４Ａや第２液晶パネル１５Ａに画像を表示している際、近接継続操作に連続して、指示領域の変更と共に画像の拡大対象部分の変更を指示するために行われる操作である。
【０１８８】
よって近接移動操作は、近接継続操作が例えば、１本の指で行われていると、その近接継続操作に連続して１本の指だけで行われ、近接継続操作が例えば、複数の指で行われていると、その近接継続操作に連続して複数の指で行われる。
【０１８９】
このため制御部２０は、第１操作面や第２操作面に対して例えば、１本の指だけで近接操作が行われると、その近接操作の開始から終了までの間、領域検出処理を実行する毎に１本の指による１個の近接領域を検出する。
【０１９０】
また制御部２０は、第１操作面や第２操作面に対して例えば、複数の指で近接操作が行われた（第１操作面や第２操作面に複数の指が同時に近接される）場合も、その近接操作の開始から終了までの間、領域検出処理を実行する毎に近接領域を検出する。
【０１９１】
この際、制御部２０は、複数の指が互いに接して揃えられていると、近接操作の開始から終了までの間、領域検出処理を実行する毎に例えば、１個の近接領域を検出する。
【０１９２】
また制御部２０は、複数の指が離されていると、近接操作の間、領域検出処理を実行する毎に例えば、複数の指の近接領域を検出する。
【０１９３】
そして制御部２０は、領域検出処理を実行する毎に、第１タッチパネル１４Ｂからパネル出力信号を取得して１又は複数の近接領域を重心位置と共に検出すると、その一連の検出結果に基づき、第１操作面に対して行われた近接操作の種類を判別する。
【０１９４】
また制御部２０は、領域検出処理を実行する毎に、第２タッチパネル１５Ｂからパネル出力信号を取得して１又は複数の近接領域を重心位置と共に検出した場合も、その一連の検出結果に基づき、第２操作面に対して行われた近接操作の種類を判別する。
【０１９５】
ただし、第１操作面や第２操作面に対して複数の指で近接操作が行われる際、これら複数の指が離されていると、個々の指の曲がり具合等により、個々の指が第１操作面に近づけられて近接検出距離範囲内に到達するときに時間差が生じる場合がある。
【０１９６】
すなわち、近接操作が行われる際に複数の指が離されていると、制御部２０は、第１操作面や第２操作面に複数の指が近づけられる（近接操作が開始される）とき、複数の指による複数の近接領域を時間的に僅かにずれて検出し始める場合がある。
【０１９７】
そして制御部２０は、このように近接操作が開始されたとき、複数の指による複数の近接領域を時間的に僅かにずれて検出し始めても、これら複数の近接領域を、それぞれ異なる近接操作の近接領域として誤検出しないようにする必要がある。
【０１９８】
すなわち、制御部２０は、近接操作が開始されたとき、複数の指による複数の近接領域を時間的に僅かにずれて検出し始めても、これら複数の近接領域を、同一の近接操作によるものとして、その近接操作の種類を判別する必要がある。
【０１９９】
このため制御部２０は、領域検出処理において、例えば、第１タッチパネル１４Ｂからパネル出力信号を取得して１又は複数の近接領域を重心位置と共に検出すると、前回（１回前）の領域検出処理で近接領域を検出していたか否かを判別する。
【０２００】
その結果、制御部２０は、前回の領域検出処理で近接領域を全く検出していないと、今回の領域検出処理で検出した１又は複数の近接領域を、それぞれ第１操作面に対する操作体の近接開始時点の近接領域であると判別する。
【０２０１】
これに対し制御部２０は、前回の領域検出処理で１又は複数の近接領域を検出していると、前回の領域検出処理で検出した重心位置と、今回の領域検出処理で検出した重心位置との間の重心間距離を総当たりで算出する。
【０２０２】
また制御部２０は、その算出した１又は複数の重心間距離を、それぞれ最大移動距離と比較する。そして制御部２０は、その比較結果に基づき、今回の領域検出処理において、前回の領域検出処理で検出した重心位置から最大移動距離以内の重心位置を検出しているか否かを判別する。
【０２０３】
その結果、制御部２０は、今回の領域検出処理で、前回の重心位置から最大移動距離以内の重心位置を検出していると、前回及び今回の重心位置に対応する前回及び今回の近接領域を、同一の操作体（例えば、同一の指）による近接領域であると判別する。
【０２０４】
すなわち、制御部２０は、今回の領域検出処理で、前回の重心位置から最大移動距離以内の重心位置を検出すると、当該検出した重心位置に対応する近接領域を、前回の領域検出処理のときから第１操作面に近接している操作体による近接領域であると判別する。
【０２０５】
ただし、制御部２０は、今回の領域検出処理で、前回の何れの重心位置からも最大移動距離を越えて離れた１又は複数の重心位置を追加で検出すると、当該検出した重心位置に対応する近接領域も、近接開始時点の近接領域であると判別する。
【０２０６】
すなわち、制御部２０は、上述のように第１操作面に複数の指が近づけられたとき、複数の指による複数の近接領域を時間的に僅かにずれて検出し始めると、これら時間的に僅かにずれて検出し始めた近接領域をそれぞれ近接開始時点の近接領域であると判別する。
【０２０７】
さらに制御部２０は、今回の領域検出処理では、前回の重心位置との重心間距離が最大移動距離以下である重心位置を検出していないと、その前回の重心位置に対応する近接領域に近接されていた操作体が近接検出距離範囲よりも遠ざけられたと判別する。
【０２０８】
すなわち、制御部２０は、今回の領域検出処理で、前回の重心位置からの距離が最大移動距離以下である重心位置の近接領域を検出していないと、その前回の重心位置に対応する近接領域が、第１操作面に対する操作体の近接終了時点の近接領域であると判別する。
【０２０９】
また制御部２０は、領域検出処理を実行しても近接領域を全く検出しないと、この場合も、前回（１回前）の領域検出処理で近接領域を検出していたか否かを判別する。
【０２１０】
その結果、制御部２０は、前回の領域検出処理で近接領域を検出していると、その前回の近接領域が、第１操作面から操作体が近接検出距離範囲よりも遠ざけられる直前の近接領域であると判別する。
【０２１１】
すなわち、制御部２０は、前回の領域検出処理で近接領域を検出していても、今回の領域検出処理では近接領域を全く検出しないと、その前回の近接領域が、第１操作面に対する操作体の近接終了時点の近接領域であると判別する。
【０２１２】
このようにして制御部２０は、領域検出処理を順次実行することにより、近接操作が開始されるときには、第１操作面に近づけられた操作体が近接検出距離範囲内に達する毎に近接領域を検出する。
【０２１３】
また制御部２０は、領域検出処理を順次実行することにより、第１操作面に操作体が近接検出距離範囲内で近接している間（第１操作面に対して近接操作が行われている間）は、その操作体による１又は複数の近接領域を順次追跡するように検出する。
【０２１４】
すなわち、制御部２０は、領域検出処理を実行して操作体による近接開始時点の１又は複数の近接領域を検出すると、引き続き領域検出処理を順次実行して、その操作体による１又は複数の近接領域を当該操作体の近接終了時点まで追跡する。
【０２１５】
かかる構成をもとに、制御部２０は、近接領域及び接触領域を全く検出していない状態（タッチ操作及び近接操作が全く行われていない状態）で、近接開始時点の１個の近接領域を検出すると、このとき近接操作が開始されたと判断する。
【０２１６】
また制御部２０は、近接操作の開始に応じて、図示しないタイマにより、近接操作が行われている時間（すなわち、第１操作面に操作体が近接している時間であり、以下、これを近接時間とも呼ぶ）の計時を開始する。
【０２１７】
そして制御部２０は、近接操作の開始直後から領域検出処理を例えば、数回乃至数十回実行するような所定期間に、新たに近接開始時点のものと判別するような近接領域を追加で検出しないと、近接操作による近接領域は１個だけであると判断する。
【０２１８】
すなわち、制御部２０は、近接操作の開始を判断したときに検出した１個の近接領域だけを、このとき行われている近接操作による近接領域であると判別して、当該１個の近接領域を、その近接操作の終了まで追跡する。
【０２１９】
これに対し制御部２０は、近接操作の開始直後から所定期間に、１又は複数の近接領域を追加で検出して新たに近接開始時点のものであると判別すると、近接操作による近接領域は複数であると判断する。
【０２２０】
すなわち、制御部２０は、近接操作の開始を判断したときに検出した１個の近接領域、及び近接操作の開始直後から所定期間に新たに検出した１又は複数の近接領域を全て、このとき行われている近接操作による近接領域であると判別する。
【０２２１】
この場合、制御部２０は、近接操作による近接領域であると判別した、これら複数の近接領域を、その近接操作の終了まで追跡する。
【０２２２】
また制御部２０は、例えば、近接操作が行われていない状態で、複数の近接領域を同時に検出して、これらをそれぞれ操作体の近接開始時点の近接領域であると判別したときにも近接操作が開始されたと判断し、近接時間の計時を開始する。
【０２２３】
そして制御部２０は、この場合も上述と同様に、このとき行われている近接操作による複数の近接領域を判別して、当該判別した複数の近接領域を、その近接操作の終了まで追跡する。
【０２２４】
制御部２０は、このように近接時間の計時を開始し、また近接操作による１又は複数の近接領域を判別して追跡し始めると、その近接時間を、近接継続操作の判別用に予め選定された例えば、数［ｓｅｃ］のような所定時間と比較する。因みに、以下の説明では、近接継続操作判別用の時間を、継続操作判別時間とも呼ぶ。
【０２２５】
その結果、制御部２０は、近接時間が継続操作判別時間に達する前に、追跡していた１又は複数の近接領域をそれぞれ近接終了時点の近接領域であると判別すると、この際、第１操作面に操作体が誤って近接しただけで、近接操作は行われていないと判別する。
【０２２６】
すなわち、制御部２０は、近接時間が継続操作判別時間に達する前に、第１操作面から操作体が近接検出距離範囲よりも遠ざけられると、近接操作は行われていないと判別する。
【０２２７】
これに対し制御部２０は、近接時間が継続操作判別時間に達すると、その時点に、現在、第１操作面に対して行われている近接操作が近接継続操作であると判別する。
【０２２８】
因みに、以下の説明では、第１操作面に対して行われている近接操作が近接継続操作であると判別した時点を、継続操作判別時点とも呼ぶ。
【０２２９】
そして制御部２０は、継続操作判別時点の近接継続操作による近接領域（近接操作の開始から継続操作判別時点まで追跡した１又は複数の近接領域）をもとに、第１操作面において近接継続操作により指示された指示領域を検出する。
【０２３０】
図７に示すように、実際に制御部２０は、近接継続操作による近接領域ＣＡ２が１個であると、例えば、その近接領域ＣＡ２において最も上寄りの端ＣＡ２１、最も下寄りの端ＣＡ２２、最も左寄りの端ＣＡ２３、最も右寄りの端ＣＡ２４を検出する。
【０２３１】
そして制御部２０は、その近接領域ＣＡ２において検出した上下左右の端ＣＡ２１、ＣＡ２２、ＣＡ２３、ＣＡ２４に各辺が接して当該近接領域ＣＡ２を含む四角形の領域を、指示領域ＩＡ１として検出する。
【０２３２】
一方、図８に示すように、制御部２０は、近接継続操作による近接領域ＣＡ３及びＣＡ４が複数であると、例えば、これら複数の近接領域ＣＡ３及びＣＡ４の中で最も上寄りの端ＣＡ４１、最も下寄りの端ＣＡ３１を検出する。
【０２３３】
また制御部２０は、例えば、これら複数の近接領域ＣＡ３及びＣＡ４の中で最も左寄りの端ＣＡ３２、最も右寄りの端ＣＡ４２も検出する。
【０２３４】
そして制御部２０は、これら複数の近接領域ＣＡ３及びＣＡ４において検出した上下左右の端ＣＡ４１、ＣＡ３１、ＣＡ３２、ＣＡ４２に各辺が接して当該複数の近接領域ＣＡ３及びＣＡ４を全て含む四角形の領域を、指示領域ＩＡ２として検出する。
【０２３５】
このようにして制御部２０は、指示領域ＩＡ１、ＩＡ２を検出すると、当該検出した指示領域ＩＡ１、ＩＡ２の面積を検出する。
【０２３６】
因みに、制御部２０は、この際、例えば、その指示領域ＩＡ１、ＩＡ２の面積を、第１液晶パネル１４Ａの表示面において当該指示領域ＩＡ１、ＩＡ２と対向する部分に位置する画素の個数として検出する。
【０２３７】
ここで、不揮発性メモリ２１には、例えば、指示領域ＩＡ１、ＩＡ２の面積をもとに、近接継続操作により指示された拡大対象部分及び拡大率（すなわち、画像の一部である拡大対象部分、及びその拡大率）を検出するための検出テーブルが予め記憶されている。
【０２３８】
図９に示すように、検出テーブルＤＴには、例えば、予め選定された最小面積から最大面積までの複数の面積を、それぞれ画素の個数で示す複数の面積情報ＳＲが格納されている。
【０２３９】
因みに、最小面積は、近接継続操作を行うときに例えば、操作体としてのタッチペンのように細いものを用いることで指示可能な、最も小さい指示領域の面積に合わせて選定されている。
【０２４０】
また最大面積は、第１液晶パネル１４Ａや第２液晶パネル１５Ａの表示面全体の面積以下の所定の面積に選定されている。そして最小面積から最大面積までの複数の面積は、例えば、順次画素１個分ずつ異なるように予め選定されている。
【０２４１】
また検出テーブルＤＴには、例えば、複数の面積情報ＳＲに対応付けられて、表示面と同じアスペクト比の長方形状の拡大対象部分が当該面積情報ＳＲの示す面積を有する場合の大きさを、その長方形状の枠で示す複数の拡大対象部分情報ＳＺも格納されている。
【０２４２】
さらに検出テーブルＤＴには、例えば、複数の拡大対象部分情報ＳＺに対応付けられて、当該拡大対象部分情報ＳＺが示す大きさの拡大対象部分を、表示面全体の大きさになるように拡大する場合の拡大率を示す複数の拡大率情報ＥＲも格納されている。
【０２４３】
すなわち、個々の拡大率情報ＥＲが示す拡大率は、何れも対応する拡大対象部分を、第１液晶パネル１４Ａ（第２液晶パネル１５Ａ）の表示面全体の大きさと同じ大きさに拡大し得るように選定されている。
【０２４４】
よって図１０に示すように、個々の拡大率情報ＥＲが示す拡大率については、最小面積の拡大対象部分に対応する拡大率が最大となり、拡大対象部分の面積が大きくなるほど、対応する拡大率が小さくなり、最大面積の拡大対象部分に対応する拡大率が最小となる。
【０２４５】
制御部２０は、指示領域ＩＡ１、ＩＡ２の面積を検出すると、不揮発性メモリ２１から、その検出テーブルＤＴをＲＡＭ２２に読み出す。
【０２４６】
この際、制御部２０は、その検出テーブルＤＴに格納された複数の面積情報ＳＲの中から、指示領域ＩＡ１、ＩＡ２の面積と同一の面積を示す面積情報ＳＲを検索する。
【０２４７】
また制御部２０は、検出テーブルＤＴにおいて、その検索した面積情報ＳＲに対応する拡大対象部分情報ＳＺを、このとき近接継続操作により指示された拡大対象部分を示す拡大対象部分情報ＳＺとして検索する。
【０２４８】
さらに制御部２０は、検出テーブルＤＴにおいて、その検索した拡大対象部分情報ＳＺに対応する拡大率情報ＥＲを、このとき近接継続操作により指示された拡大率を示す拡大率情報ＥＲとして検索する。
【０２４９】
これにより制御部２０は、不揮発性メモリ２１から、このように指示領域ＩＡ１、ＩＡ２の面積に基づいて検索した拡大対象部分情報ＳＺ及び拡大率情報ＥＲを読み出す。
【０２５０】
これに加えて制御部２０は、このとき指示領域ＩＡ１、ＩＡ２の中心位置を、画素位置の座標として検出する。
【０２５１】
また図１１（Ａ）及び（Ｂ）に示すように、制御部２０は、このとき第１液晶パネル１４Ａに表示中の画像３５、３６を取り込む。
【０２５２】
さらに制御部２０は、その画像３５、３６において指示領域ＩＡ１、ＩＡ２の中心位置ＣＰ１、ＣＰ２と対応する位置に、検索した拡大対象部分情報ＳＺが示す枠の中心位置を合わせるようにして、当該画像３５、３６に、その枠を重ねる。
【０２５３】
このようにして制御部２０は、第１液晶パネル１４Ａに表示中の画像３５、３６において、検索した拡大対象部分情報ＳＺが示す枠で囲まれた部分を、当該画像３５、３６の一部である拡大対象部分ＰＥ１、ＰＥ２として特定する。
【０２５４】
また制御部２０は、その画像３５、３６から、特定した拡大対象部分ＰＥ１、ＰＥ２を切り出すと共に、当該切り出した拡大対象部分ＰＥ１、ＰＥ２を、検索した拡大率情報ＥＲが示す拡大率で拡大する。
【０２５５】
そして図１２及び図１３に示すように、制御部２０は、その拡大対象部分ＰＥ１、ＰＥ２を拡大して得られた拡大画像４０、４１を、今まで第２液晶パネル１５Ａに表示していた画像に替えて、当該第２液晶パネル１５Ａの表示面全体に表示する。
【０２５６】
図１４に示すように、このようにして制御部２０は、例えば、第１操作面に対して操作体としての１本の指により近接継続操作が行われると、その近接継続操作による１個の近接領域に応じて面積の比較的小さい指示領域ＩＡ１を指示させることができる。
【０２５７】
そして制御部２０は、このように指示領域ＩＡ１の面積が比較的小さいと、これに応じて比較的小さい拡大対象部分ＰＥ１を指示させることができる。
【０２５８】
また制御部２０は、指示された拡大対象部分ＰＥ１が比較的小さいと、その分、当該拡大対象部分ＰＥ１に対する拡大率として、比較的大きな値の拡大率を指示させることができる。
【０２５９】
これに対し図１５及び図１６に示すように、制御部２０は、例えば、第１操作面に対して複数の指で近接継続操作が行われるのであれば、近接継続操作の際の近接領域の個数や間隔を任意に増加させることができる。
【０２６０】
よって制御部２０は、近接継続操作の際の近接領域の個数や間隔が増加するほど、面積の大きい指示領域ＩＡ２、ＩＡ３を指示させることができる。
【０２６１】
そして制御部２０は、指示された拡大対象部分ＰＥ２、ＰＥ３が大きいほど、その分、小さな値の拡大率を指示させることができる。
【０２６２】
ところで制御部２０は、拡大画像４０、４１を表示すると、その後は領域検出処理を実行して近接継続操作による１又は複数の近接領域を検出する毎に、当該検出した１又は複数の近接領域に基づき、上述と同様に指示領域及び当該指示領域の中心位置を検出する。
【０２６３】
また制御部２０は、継続操作判別時点以降は、近接継続操作による指示領域を中心位置と共に検出する毎に、当該検出した中心位置、及び前回（１回前）の領域検出処理で検出した指示領域の中心位置間の距離（以下、これを中心間距離とも呼ぶ）を検出する。
【０２６４】
さらに制御部２０は、その中心間距離を検出する毎に、当該検出した中心間距離を、例えば、近接移動操作の判別用に予め選定された例えば、１［ｍｍ］以下のような所定距離（以下、これを移動操作判別距離とも呼ぶ）と比較する。
【０２６５】
その結果、制御部２０は、中心間距離が移動操作判別距離よりも短いと、第１操作面に対し近接操作としての近接移動操作は行われていないと判別する。
【０２６６】
このようにして制御部２０は、継続操作判別時点から近接継続操作が行われている間（近接継続操作による１又は複数の近接領域を追跡し得ている間）は、第２液晶パネル１５Ａに上述の拡大画像４０、４１をそのまま表示し続ける。
【０２６７】
これに対して制御部２０は、中心間距離が移動操作判別距離以上である（すなわち、指示領域が移動操作判別距離以上変位した）ことを検出すると、その時点に、第１操作面に対し近接操作として近接移動操作が行われていると判別する。
【０２６８】
すなわち、制御部２０は、今回の領域検出処理で検出した指示領域が、前回の領域検出処理で検出した指示領域から移動操作判別距離以上変位していると、現在、第１操作面に対して行われている近接操作が近接継続操作から近接移動操作へ移行したと判別する。
【０２６９】
因みに、以下の説明では、第１操作面に対して行われている近接操作が近接移動操作であると判別した時点を、移動操作判別時点とも呼ぶ。
【０２７０】
この際、制御部２０は、移動操作判別時点の近接移動操作による近接領域（近接操作の開始から移動操作判別時点まで追跡した１又は複数の近接領域）をもとに上述と同様にして、第１操作面において近接移動操作により指示された指示領域を検出する。
【０２７１】
また制御部２０は、指示領域の中心位置を画素位置の座標として検出すると共に、第１液晶パネル１４Ａに表示中の画像において当該中心位置と対応する位置に、継続操作判別時点に検索していた枠の中心位置を合わせるようにして、当該画像に、その枠を重ねる。
【０２７２】
このようにして制御部２０は、このとき検出した指示領域をもとに、第１液晶パネル１４Ａに表示中の画像において、継続操作判別時点に検索していた枠で囲まれた部分を、当該画像の一部である新たな（すなわち、位置を変更した）拡大対象部分として特定する。
【０２７３】
さらに制御部２０は、その画像から、新たに特定した拡大対象部分を切り出すと共に、当該切り出した拡大対象部分を、継続操作判別時点に指示されていた拡大率（すなわち、継続操作判別時点に検索していた拡大率情報ＥＲが示す拡大率）で拡大する。
【０２７４】
そして制御部２０は、その拡大対象部分を拡大して得られた拡大画像を、今まで第２液晶パネル１５Ａに表示していた拡大画像に替えて、当該第２液晶パネル１５Ａの表示面全体に表示する。
【０２７５】
ところで、制御部２０は、移動操作判別時点以降は領域検出処理を実行して、近接移動操作による１又は複数の近接領域を検出する毎に、当該検出した１又は複数の近接領域に基づき、上述と同様に指示領域、及び当該指示領域の中心位置を検出する。
【０２７６】
また制御部２０は、移動操作判別時点以降は、近接移動操作による指示領域を中心位置と共に検出する毎に、当該検出した中心位置、及び前回（１回前）の領域検出処理の際に検出した指示領域の中心位置間の中心間距離を検出する。
【０２７７】
さらに制御部２０は、中心間距離を検出する毎に、その中心間距離を移動操作判別距離と比較する。その結果、制御部２０は、中心間距離が移動操作判別距離以上であると、未だ近接移動操作が行われている（第１操作面上で操作体が移動している）と判別する。
【０２７８】
このようにして制御部２０は、第１操作面に対して近接移動操作が行われている間は領域検出処理を実行する毎に、その近接移動操作によって新たに指示された指示領域を順次検出するようにして、画像における拡大対象部分を変更する。
【０２７９】
さらに制御部２０は、その変更した拡大対象部分を、継続操作判別時点に指示されていた拡大率で順次拡大して拡大画像を生成する。
【０２８０】
そして図１７及び図１８に示すように、制御部２０は、その拡大対象部分ＰＥ４、ＰＥ５を拡大して得られた拡大画像４２、４３を、第２液晶パネル１５Ａに表示するようにして、当該第２液晶パネル１５Ａに表示する拡大画像４２、４３を更新する。
【０２８１】
ところで、制御部２０は、画像の一部である拡大対象部分を拡大して表示する際、第１操作面に例えば、指を接触させて拡大対象部分を直接指示させるのではなく、第１操作面に例えば、指を近接させて拡大対象部分を指示させている。
【０２８２】
そして、このように第１操作面に指を近接させて拡大対象部分を指示させるような近接継続操作では、指の向きや曲がり具合等によっては、拡大対象部分を大まかに指示することになる。
【０２８３】
特に近接継続操作では、第１操作面に対して複数の指により行われる場合、拡大対象部分の大きさや位置に合せて、複数の指が一定の曲がり具合や一定の位置関係で近接されるとは限らないため、拡大対象部分の指示がさらに大まかになる。
【０２８４】
よって制御部２０は、近接継続操作が行われた場合、その近接継続操作による１又は複数の近接領域を含む四角形の領域を指示領域として検出し、その指示領域に基づいて、表示中の画像内において拡大対象部分を決めている。
【０２８５】
言い換えると、制御部２０は、近接継続操作では、画像内の拡大対象部分を的確には特定し難いことにより、その拡大対象部分を推定して検出している。
【０２８６】
このため制御部２０は、第１操作面に対して近接移動操作が行われるときには、操作体が第１操作面上で上下左右の何れの方向に移動しても、その近接移動操作によって新たに指示された指示領域を順次検出して、画像における拡大対象部分を変更する。
【０２８７】
よって制御部２０は、第１操作面に対して近接継続操作に引き続き近接移動操作が行われたときは、その近接移動操作によって新たに指示された指示領域の位置に応じて画像における拡大対象部分を任意に変更させることができる。
【０２８８】
すなわち、制御部２０は、近接継続操作により画像内の拡大対象部分を大まかに指示させるものの、引き続き近接移動操作が行われると、これに応じて拡大対象部分を変更することで、画像内の所望の拡大対象部分を的確に拡大して見せることができる。
【０２８９】
因みに、制御部２０は、近接移動操作を、近接継続操作による拡大対象部分の大まかな指示を補うためだけに行わせるだけでなく、絵柄の比較的細かい画像の複数の部分の内容を連続的に確認するような場合にも利用させることができる。
【０２９０】
すなわち、図１９及び図２０に示すように、制御部２０は、例えば、第１液晶パネル１４Ａに地図画像４５を表示した場合、近接継続操作により拡大対象部分ＰＥ６が指示されると、その拡大対象部分ＰＥ６を拡大して第２液晶パネル１５Ａに表示する。
【０２９１】
また制御部２０は、この際、近接継続操作に引き続き近接移動操作が行われると、これに応じて、地図画像４５において拡大対象部分ＰＥ６乃至ＰＥ９を連続的に変更しながら拡大して第２液晶パネル１５Ａに表示する。
【０２９２】
このように制御部２０は、第１液晶パネル１４Ａに表示した画像に内容を確認したい部分が複数あっても、第１操作面に対して近接継続操作を繰り返し行わせることなく、簡易な操作で当該複数の部分の内容を容易に確認させることができる。
【０２９３】
ところで、制御部２０は、近接移動操作に応じて拡大対象部分を適宜変更していても、領域検出処理を実行して中心間距離を移動操作判別距離と比較した結果、中心間距離が移動操作判別距離よりも短いと、近接移動操作から近接継続操作へ移行したと判別する。
【０２９４】
このとき制御部２０は、第２液晶パネル１５Ａに、前回の領域検出処理の際に生成した拡大画像４０、４１をそのまま表示する。
【０２９５】
また制御部２０は、近接継続操作に移行したと判別した後も、領域検出処理を実行して当該近接継続操作による１又は複数の近接領域を追跡して検出する（第１操作面に操作体が近接している）と、近接継続操作が行われ続けていると判別する。
【０２９６】
よって制御部２０は、その近接継続操作に応じて、拡大対象部分の変更しないようにして、第２液晶パネル１５Ａに先に生成した拡大画像４０、４１を表示し続ける。
【０２９７】
ただし、制御部２０は、このように近接移動操作から近接継続操作に移行したと判別しても、その後は領域検出処理を実行する毎に、中心間距離を移動操作判別距離と比較する。
【０２９８】
その結果、制御部２０は、中心間距離が移動操作判別距離以上であると、第１操作面に対して行われている近接操作が、再び近接継続操作から近接移動操作に移行したと判別する。
【０２９９】
このようにして制御部２０は、第１操作面に対して一度、近接継続操作が行われると、その後は、近接継続操作と近接移動操作とを適宜交互に行わせることができる。
【０３００】
そして制御部２０は、近接継続操作が行われていると判別しても、その後、領域検出処理を実行したときに接触領域を検出せず、近接継続操作による全ての近接領域も検出しなくなると、第１操作面から操作体が近接検出距離範囲を越えて遠ざけられたと判別する。
【０３０１】
すなわち、制御部２０は、このとき、第１操作面に対して行われていた近接継続操作が終了したと判別する。よって制御部２０は、このときも第２液晶パネル１５Ａの表示を、拡大画像を表示する前の状態に戻す。
【０３０２】
また制御部２０は、近接移動操作が行われていると判別した場合も、その後、領域検出処理を実行したときに接触領域を検出せず、接移動操作による全ての近接領域も検出しなくなると、第１操作面から操作体が近接検出距離範囲を越えて遠ざけられたと判別する。
【０３０３】
すなわち、制御部２０は、第１操作面に対して行われていた近接移動操作が終了したと判別する。よって制御部２０は、このとき第２液晶パネル１５Ａの表示を、拡大画像を表示する前の状態に戻す。
【０３０４】
このようにして制御部２０は、第１操作面に対して近接継続操作や近接移動操作を適宜行わせて、第１液晶パネル１４Ａに表示中の画像の一部を拡大し第２液晶パネル１５Ａに表示することができる。
【０３０５】
ところで、制御部２０は、第２液晶パネル１５Ａに表示した拡大画像内に指示項目が元の大きさから拡大されて含まれていると、第２液晶パネル１５Ａでの当該指示項目の表示領域を画像位置の座標として検出する。
【０３０６】
また制御部２０は、その検出した指示項目の表示領域を、当該指示項目に割り当てられている命令に対応付ける。
【０３０７】
因みに、制御部２０は、近接移動操作が行われて拡大対象部分を変更したことで、その指示項目の表示領域が変位すると、当該指示項目に割り当てられた命令に対応付ける表示領域を、変位後の表示領域に変更する。
【０３０８】
これにより制御部２０は、第２液晶パネル１５Ａに拡大画像を表示した状態で、第２タッチパネル１５Ｂの第２操作面に対してタップ操作が行われたことを検出すると、その指示項目の表示領域の中からタップ指示位置を含む表示領域を検出する。
【０３０９】
そして制御部２０は、その検出した表示領域に基づき、当該表示領域を対応付けておいた命令が、このとき第２タッチパネル１５Ｂの第２操作面に対して行われたタップ操作により入力された命令であると判別する。
【０３１０】
このようにして制御部２０は、第２タッチパネル１５Ｂの第２操作面に対するタップ操作によって入力された命令を判別すると、当該判別した命令に応じた処理を実行する。
【０３１１】
ここで、制御部２０は、このときタップ操作によって入力された命令が、表示すべき画像の切り替えを伴わない処理を指示する命令であると、第２液晶パネル１５Ａに拡大画像を表示したまま、その命令に応じた処理を実行する。
【０３１２】
これに対し制御部２０は、タップ操作によって入力された命令が、表示すべき画像の切り替えを伴う処理を指示する命令であると、その命令に応じた処理を実行して、第２液晶パネル１５Ａに、拡大画像に替えて当該処理に応じた他の画像を拡大せずに表示する。
【０３１３】
例えば、制御部２０は、このときタップ操作によって入力された命令が、上述のようなページデータを取得するための命令であると、サーバから、そのページデータを受信しつつ、第２液晶パネル１５ＡにＷｅｂブラウザ画像と共にページ画像を拡大せずに表示する。
【０３１４】
そして制御部２０は、このように第２液晶パネル１５Ａに他の画像を表示した状態で、第２タッチパネル１５Ｂの操作面に対し摺動操作が行われると、これに応じて、第２液晶パネル１５Ａに表示している他の画像を適宜スクロールさせる。
【０３１５】
これにより制御部２０は、第２液晶パネル１５Ａに対し他の画像全体を表示し得ない場合でも、当該他の画像全体を見せることができる。
【０３１６】
このようにして制御部２０は、第２液晶パネル１５Ａに拡大画像に替えて、他の画像を拡大せずに表示した状態で、第１操作面に対して行われていた近接継続操作や近接移動操作が終了すると、当該第２液晶パネル１５Ａの表示をもとに戻す。
【０３１７】
すなわち、制御部２０は、この際、第２液晶パネル１５Ａに他の画像に替えて、近接継続操作や近接移動操作が行われる直前に表示していた画像を再び表示する。
【０３１８】
因みに、制御部２０は、第１操作面に対し近接継続操作や近接移動操作が行われている間は、その第１操作面において、近接継続操作や近接移動操作による近接領域とは異なる領域に操作体が接触しても、その接触操作の種類の判別は行わない。
【０３１９】
これにより制御部２０は、第１操作面に対し近接継続操作や近接移動操作が行われている間に、その第１操作面に操作体が誤って接触しても、これに応じて第１液晶パネル１４Ａに対し、表示中の画像に替えて他の画像を表示することを防止している。
【０３２０】
すなわち、制御部２０は、第１操作面に対し近接継続操作や近接移動操作が行われている間に、その第１操作面に操作体が誤って接触しても、これに応じて近接継続操作や近接移動操作が不用意に中断することを防止している。
【０３２１】
ところで、制御部２０は、領域検出処理において、第２タッチパネル１５Ｂからパネル出力信号を取得して近接領域を重心位置と共に検出したときも、第１操作面に対して行われた近接操作の種類を判別するための処理と同様の処理を実行する。
【０３２２】
これにより制御部２０は、第２タッチパネル１５Ｂの第２操作面に対して近接継続操作や近接移動操作が行われたことを検出することができる。
【０３２３】
また制御部２０は、第２タッチパネル１５Ｂの第２操作面に対して近接継続操作や近接移動操作が行われると、上述と同様の処理を実行することにより、第２液晶パネル１５Ａに表示中の画像において拡大対象部分を検出する。
【０３２４】
そして制御部２０は、この際、上述と同様に、その拡大対象部分を拡大し、得られた拡大画像を第１液晶パネル１４Ａに表示する。
【０３２５】
このようにして制御部２０は、第２タッチパネル１５Ｂの第２操作面に対して近接継続操作や近接移動操作が行われても、これに応じて拡大した拡大対象部分を第１液晶パネル１４Ａに表示して見せることができる。
【０３２６】
また制御部２０は、第１液晶パネル１４Ａに拡大画像を表示した状態で、第１タッチパネル１４Ｂの第１操作面に対しタップ操作が行われると、上述と同様に第１タッチパネル１４Ｂに表示する画像を適宜切り替える。
【０３２７】
そして制御部２０は、このように第２タッチパネル１５Ｂの第２操作面に対して近接操作を行わせることができるため、例えば、ユーザが向い合せの他のユーザに通常の使用の姿勢で表示面を見せながら、適宜、近接操作を行い拡大画像を見せることもできる。
【０３２８】
因みに制御部２０は、第１液晶パネル１４Ａに拡大画像に替えて他の画像を表示して、第１タッチパネル１４Ｂの第１操作面に対しタップ操作や摺動操作が行われると、上述と同様に第１タッチパネル１４Ｂに表示する画像を適宜切り替え、またスクロールさせる。
【０３２９】
［１−２−４．表示制御処理手順］
次いで、図２１及び図２２を用いて、制御部２０が、第１タッチパネル１４Ａの第１操作面や第２タッチパネル１５Ａの第２操作面に対して行われる近接操作に応じて、画像の一部を拡大して表示する表示制御処理手順ＲＴ１について説明する。
【０３３０】
制御部２０は、例えば、携帯端末１０が起動して第１液晶パネル１４Ｂや第２液晶パネル１５Ｂに画像を表示すると、不揮発性メモリ２１に予め記憶された表示制御プログラムに従い、図２１及び図２２に示す表示制御処理手順ＲＴ１を開始する。
【０３３１】
制御部２０は、表示制御処理手順ＲＴ１を開始すると、定期的な領域検出処理を開始したうえで、ステップＳＰ１において第１タッチパネル１４Ａの第１操作面や第２タッチパネル１５Ａの第２操作面において近接領域を検出したか否かを判別する。
【０３３２】
ステップＳＰ１において否定結果が得られると、このことは第１操作面及び第２操作面の何れにも未だ操作体が近接していない、又は一度近接された操作体が遠ざけられたことを表している。ステップＳＰ１において制御部２０は、かかる否定結果を得ると、次のステップＳＰ２に移る。
【０３３３】
ステップＳＰ２において制御部２０は、第１タッチパネル１４Ａの第１操作面や第２タッチパネル１５Ａの第２操作面において接触領域を検出したか否かを判別する。
【０３３４】
このステップＳＰ２において否定結果が得られると、このことは第１操作面及び第２操作面の何れにも操作体が接触していないことを表している。ステップＳＰ２において制御部２０は、かかる否定結果を得ると、次のステップＳＰ３に移る。
【０３３５】
ステップＳＰ３において制御部２０は、第１液晶パネル１４Ａ及び第２液晶パネル１５Ａに対する画像の表示を終了するか否かを判別する。
【０３３６】
このステップＳＰ３において否定結果が得られると、このことは表示を終了するようには指示されていないため、未だ第１液晶パネル１４Ｂや第２液晶パネル１５Ｂに画像を表示し続けていることを表している。ステップＳＰ３において制御部２０は、かかる否定結果を得ると、ステップＳＰ１に戻る。
【０３３７】
よって制御部２０は、この後、ステップＳＰ１乃至ステップＳＰ３の何れかにおいて肯定結果を得るまでの間、当該ステップＳＰ１乃至ステップＳＰ３の処理を繰り返し実行する。
【０３３８】
これにより制御部２０は、第１タッチパネル１４Ａの第１操作面や第２タッチパネル１５Ａの第２操作面に操作体が近接することや接触すること、また画像の表示を終了することを待ち受ける。
【０３３９】
ところで、ステップＳＰ２において肯定結果が得られると、このことは第１タッチパネル１４Ａの第１操作面や第２タッチパネル１５Ｂの第２操作面に操作体が接触して、タッチ操作が開始された可能性があることを表している。ステップＳＰ２において制御部２０は、かかる肯定結果を得ると、次のステップＳＰ４に移る。
【０３４０】
ステップＳＰ４において制御部２０は、第１操作面や第２操作面に対してタッチ操作が行われているか否かを判別する。
【０３４１】
このステップＳＰ４において否定結果が得られると、例えば、第１操作面や第２操作面において複数箇所に操作体が接触しており、タッチ操作としてのタップ操作や摺動操作は行われていないことを表している。ステップＳＰ４において制御部２０は、かかる否定結果を得ると、ステップＳＰ３に戻る。
【０３４２】
これに対しステップＳＰ４において肯定結果が得られると、このことは第１操作面や第２操作面において１箇所に操作体が接触しており、タッチ操作としてのタップ操作や摺動操作が行われている可能性があることを表している。ステップＳＰ４において制御部２０は、かかる肯定結果を得ると、次のステップＳＰ５に移る。
【０３４３】
ステップＳＰ５において制御部２０は、タッチ操作により命令が入力されたか否かを判別する。このステップＳＰ５において否定結果が得られると、このことは例えば、タッチ操作がタップ操作及び摺動操作の何れであるのかを未だ判別し終えていないことを表している。
【０３４４】
又は、ステップＳＰ５において否定結果が得られると、このことは例えば、第１液晶パネル１４Ａや第２液晶パネル１５Ｂに表示中の画像において指示項目の表示領域とは異なる部分がタップ操作により指示されたことを表している。ステップＳＰ５において制御部２０は、このような否定結果を得ると、ステップＳＰ３に戻る。
【０３４５】
これに対しステップＳＰ５において肯定結果が得られると、このことは第１操作面や第２操作面に対して行われたタップ操作により、表示中の画像において指示項目の表示領域が指示され、その指示項目に対応する命令が入力されたことを表している。
【０３４６】
又は、ステップＳＰ５において肯定結果が得られると、このことは第１操作面や第２操作面に対して行われた摺動操作により表示中の画像に対するスクロールの命令が入力されたことを表している。ステップＳＰ５において制御部２０は、このような肯定結果を得ると、次のステップＳＰ６に移る。
【０３４７】
ステップＳＰ６において制御部２０は、タップ操作や摺動操作によって入力された命令に応じた処理を実行してステップＳＰ３に戻る。
【０３４８】
このようにして制御部２０は、第１液晶パネル１４Ａや第２液晶パネル１５Ａに表示する画像を適宜切り替え、また画像の表示部分を適宜変更する。
【０３４９】
ところで、上述のステップＳＰ１において肯定結果が得られると、このことは第１タッチパネル１４Ａの第１操作面及び第２タッチパネル１５Ａの第２操作面の一方に操作体が近接したことを表している。
【０３５０】
ステップＳＰ１において制御部２０は、かかる肯定結果を得ると、近接操作が開始されたと判断して近接時間の計時を開始した後、次のステップＳＰ７に移る。
【０３５１】
ステップＳＰ７において制御部２０は、近接時間を継続操作判別時間と比較するようにして、その近接時間が継続操作判別時間に達したか否かを判別する。
【０３５２】
このステップＳＰ７において否定結果が得られると、このことは近接時間が未だ継続操作判別時間に達していないことを表している。ステップＳＰ７において制御部２０は、かかる否定結果を得ると、ステップＳＰ１に戻る。
【０３５３】
これにより制御部２０は、第１操作面及び第２操作面の一方に操作体が近接している間は、ステップＳＰ１及びステップＳＰ７の処理を順次繰り返し実行することで、近接時間が継続操作判別時間に達することを待ち受ける。
【０３５４】
そしてステップＳＰ７において肯定結果が得られると、このことは第１操作面及び第２操作面の一方に対し近接操作としての近接継続操作が行われたことを表している。ステップＳＰ７において制御部２０は、かかる肯定結果を得ると、次のステップＳＰ６に移る。
【０３５５】
ステップＳＰ８において制御部２０は、近接継続操作により指示された指示領域及び当該指示領域の面積を検出する。
【０３５６】
また制御部２０は、その指示領域及び面積に基づき、第１液晶パネル１４Ａ及び第２液晶パネル１５Ａの一方に表示中の画像において拡大対象部分を検出すると共に、その拡大対象部分に対する拡大率を検出して、次のステップＳＰ９に移る。
【０３５７】
ステップＳＰ９において制御部２０は、その指示領域の面積に応じた拡大率で拡大対象部分を拡大して、第１液晶パネル１４Ａ及び第２液晶パネル１５Ａの他方に表示して、次のステップＳＰ１０に移る。
【０３５８】
ステップＳＰ１０において制御部２０は、近接操作（この場合は近接継続操作）による近接領域を追跡して検出したか否かを判別する。
【０３５９】
このステップＳＰ１０において肯定結果が得られると、このことは第１操作面及び第２操作面の一方に未だ操作体が近接していることを表している。ステップＳＰ１０において制御部２０は、かかる肯定結果を得ると、次のステップＳＰ１１に移る。
【０３６０】
ステップＳＰ１１において制御部２０は、近接継続操作により指示された指示領域を再び検出すると共に、当該検出した指示領域が、前回検出した指示領域から移動操作判別距離以上変位しているか否かを判別する。
【０３６１】
このステップＳＰ１１において否定結果が得られると、このことは第１操作面及び第２操作面の一方に対し操作体がほとんど動かされずに近接していることを表している。ステップＳＰ１１において制御部２０は、かかる否定結果を得ると、ステップＳＰ１２に移る。
【０３６２】
ステップＳＰ１２において制御部２０は、第１操作面及び第２操作面の他方において接触領域を検出したか否かを判別する。
【０３６３】
このステップＳＰ１２において否定結果が得られると、このことは第１操作面及び第２操作面の他方に操作体が接触していないことを表している。ステップＳＰ１２において制御部２０は、かかる否定結果を得ると、ステップＳＰ１０に戻る。
【０３６４】
よって制御部２０は、この後、ステップＳＰ１０において否定結果を得、又はステップＳＰ１１及びステップＳＰ１２の何れか一方で肯定結果を得るまでの間、ステップＳＰ１０乃至ステップＳＰ１２の処理を繰り返し実行する。
【０３６５】
これにより制御部２０は、近接操作の終了や近接移動操作の開始、また拡大画像内の指示項目の指示を待ち受ける。
【０３６６】
ところで、ステップＳＰ１１において肯定結果が得られると、このことは第１操作面及び第２操作面の一方に対して近接継続操作に引き続き近接移動操作が行われたことを表している。ステップＳＰ１１において制御部２０は、かかる肯定結果を得ると、次のステップＳＰ１３に移る。
【０３６７】
ステップＳＰ１３において制御部２０は、近接移動操作により指示された指示領域及び当該指示領域の面積を検出する。
【０３６８】
また制御部２０は、その指示領域及び面積に基づき、第１液晶パネル１４Ａ及び第２液晶パネル１５Ａの一方に表示中の画像において拡大対象部分を変更して検出して、次のステップＳＰ１４に移る。
【０３６９】
ステップＳＰ１４において制御部２０は、近接継続操作により指示されていた指示領域の面積に応じた拡大率で、変更後の拡大対象部分を拡大して、第１液晶パネル１４Ａ及び第２液晶パネル１５Ａの他方に表示して、ステップＳＰ１０に戻る。
【０３７０】
これにより制御部２０は、第１操作面及び第２操作面の一方に近接している操作体が近接状態を維持したまま移動している間は、表示中の画像において拡大対象部分を変更して、当該変更した拡大対象部分を拡大して表示する。
【０３７１】
また上述のステップＳＰ１２において肯定結果が得られると、このことは第１操作面及び第２操作面の他方に操作体が接触して、タップ操作が開始された可能性があることを表している。ステップＳＰ１２において制御部２０は、かかる肯定結果を得ると、次のステップＳＰ１５に移る。
【０３７２】
ステップＳＰ１５において制御部２０は、第１操作面及び第２操作面の他方に対してタッチ操作が行われているか否かを判別する。
【０３７３】
このステップＳＰ１５において否定結果が得られると、例えば、第１操作面及び第２操作面の他方において複数箇所に操作体が接触しており、タッチ操作は行われていないことを表している。ステップＳＰ１５において制御部２０は、かかる否定結果を得ると、ステップＳＰ１０に戻る。
【０３７４】
これに対しステップＳＰ１５において肯定結果が得られると、このことは第１操作面及び第２操作面の他方において１箇所に操作体が接触しており、タッチ操作が行われていることを表している。
【０３７５】
ステップＳＰ１５において制御部２０は、かかる肯定結果を得ると、接触時間の計時を開始して、次のステップＳＰ１６に移る。
【０３７６】
ステップＳＰ１６において制御部２０は、このとき第１操作面及び第２操作面の他方に対して行われているタッチ操作がタップ操作であるか否かを判別する。
【０３７７】
ステップＳＰ１６において否定結果が得られると、タップ判別時間内で接触時間を計時している途中であり、タッチ操作がタップ操作であるのかを未だ判別し終えていないことを表している。
【０３７８】
又は、ステップＳＰ１６において否定結果が得られると、このことは計時中の接触時間がタップ判別時間を越えたため、このとき第１操作面及び第２操作面の他方に操作体が誤って接触していることを表している。ステップＳＰ１６において制御部２０は、かかる否定結果を得ると、ステップＳＰ１０に戻る。
【０３７９】
これに対しステップＳＰ１６において肯定結果が得られると、タップ判別時間内に第１操作面及び第２操作面の他方のほぼ一点に操作体が接触して直ちに離されたことを表している。ステップＳＰ１６において制御部２０は、かかる肯定結果を得ると、次のステップＳＰ１７に移る。
【０３８０】
ステップＳＰ１７において制御部２０は、タップ操作により拡大画像内の指示項目の表示領域が指示されたか否かを判別する。
【０３８１】
ステップＳＰ１７において否定結果が得られると、このことはタップ操作により拡大画像内の指示項目の表示領域とは異なる部分が指示され、このとき第１操作面及び第２操作面の他方に操作体が誤って接触していたことを表している。ステップＳＰ１７において制御部２０は、かかる否定結果を得ると、ステップＳＰ１０に戻る。
【０３８２】
これに対しステップＳＰ１７において肯定結果が得られると、このことはタップ操作により拡大画像内の指示項目の表示領域が指示され、その指示項目に対応する命令が入力されたことを表している。ステップＳＰ１７において制御部２０は、かかる肯定結果を得ると、次のステップＳＰ１８に移る。
【０３８３】
ステップＳＰ１８において制御部２０は、タップ操作により指示項目が指示されて入力された命令に応じて例えば、第１液晶パネル１４Ａ及び第２液晶パネル１５Ａの他方に拡大画像に替えて他の画像を表示するような処理を実行してステップＳＰ１０に戻る。
【０３８４】
このようにして制御部２０は、ステップＳＰ１０乃至ステップＳＰ１８の処理を順次実行することで、第１液晶パネル１４Ａ及び第２液晶パネル１５Ａの他方に表示した拡大画像を拡大対象部分と共に適宜変更する。また制御部２０は、拡大画像内の指示項目に応じた処理を実行する。
【０３８５】
そしてステップＳＰ１０において否定結果が得られると、このことは第１操作面及び第２操作面の一方に近接されていた操作体が近接検出距離範囲よりも遠ざけられて近接操作が終了したことを表している。
【０３８６】
ステップＳＰ１０において制御部２０は、かかる否定結果を得ると、第１液晶パネル１４Ａ及び第２液晶パネル１５Ａの他方に表示していた拡大画像を、その拡大画像を表示する前の画像に戻して、ステップＳＰ２に戻る。
【０３８７】
このように制御部２０は、第１液晶パネル１４Ａや第２液晶パネル１５Ａに画像を表示している間は、ステップＳＰ１乃至ステップＳＰ１８の処理を実行することで、近接継続操作により指示された指示領域の面積に応じた拡大率で、画像の一部を拡大して表示する。
【０３８８】
ところで、上述のステップＳＰ３において肯定結果が得られると、このことは第１液晶パネル１４Ｂ及び第２液晶パネル１５Ｂに対する画像の表示を終了するように指示されたことを表している。
【０３８９】
ステップＳＰ３において制御部２０は、かかる肯定結果を得ると、第１液晶パネル１４Ａ及び第２液晶パネル１５Ａに対する画像の表示を全て終了して、次のステップＳＰ１９に移る。そしてステップＳＰ１０において制御部２０は、表示制御処理手順ＲＴ１を終了する。
【０３９０】
［１−２−５．実施の形態の動作及び効果］
以上の構成において、携帯端末１０の制御部２０は、画像を表示した第１タッチスクリーン１４及び第２タッチスクリーン１５の一方の表面（第１操作面又は第２操作面）に対して近接継続操作が行われると、近接継続操作による指示領域、及びその面積を検出する。
【０３９１】
また制御部２０は、その指示領域及び面積に基づき、第１タッチスクリーン１４及び第２タッチスクリーン１５の一方に表示中の画像において、その一部である拡大対象部分を検出すると共に、当該指示領域の面積に基づき拡大対象部分に対する拡大率を検出する。
【０３９２】
そして制御部２０は、その指示領域の面積に応じた拡大率で拡大対象部分を拡大して、第１タッチスクリーン１４及び第２タッチスクリーン１５の他方に表示する。
【０３９３】
従って制御部２０は、例えば、近接継続操作を行う際に操作体としての指の本数や個々の指の間隔等を任意に変えさせることで、その近接継続操作による指示領域によって所望の拡大対象部分を選定させることができる。
【０３９４】
また制御部２０は、この際、近接継続操作を行う際に操作体としての指の本数や個々の指の間隔等を任意に変えさせることで、その近接継続操作による指示領域の面積と共に、拡大対象部分に対する拡大率も任意に選定させることができる。
【０３９５】
すなわち、制御部２０は、近接継続操作による近接領域の大きさ、近接領域の個数、複数の近接領域の位置関係等を任意に調整させるようにして、その近接継続操作により、画像内の拡大対象部分と、当該拡大対象部分に対する所望の拡大率とを容易に選定させることができる。
【０３９６】
そして制御部２０は、第１タッチスクリーン１４及び第２タッチスクリーン１５の一方及び他方のうち当該一方に表示中の画像における拡大対象部分を、その選定された拡大率で所望の大きさに拡大して他方に表示することができる。
【０３９７】
以上の構成によれば、携帯端末１０の制御部２０は、第１タッチスクリーン１４及び第２タッチスクリーン１５の一方の表面に対して操作体により近接継続操作が行われたとき、当該近接継続操作により指示された指示領域の面積を検出して、第１タッチスクリーン１４及び第２タッチスクリーン１５の他方に画像の一部である拡大対象部分を、当該検出した指示領域の面積に応じた拡大率で拡大して表示するようにした。
【０３９８】
これにより携帯端末１０の制御部２０は、近接継続操作により拡大対象部分である画像の一部と共に、当該一部に対する所望の拡大率を容易に選定させて、第１タッチスクリーン１４及び第２タッチスクリーン１５の他方に当該画像の一部を所望の大きさに拡大して表示することができる。よって携帯端末１０の制御部２０は、当該携帯端末１０の使い勝手を格段的に向上させることができる。
【０３９９】
また携帯端末１０の制御部２０は、画像を表示中の第１タッチスクリーン１４及び第２タッチスクリーン１５の一方の表面に対して近接継続操作に連続して近接移動操作が行われると、当該画像において拡大対象部分を変更するようにした。
【０４００】
そして携帯端末１０の制御部２０は、その変更した拡大対象部分を拡大して第１タッチスクリーン１４及び第２タッチスクリーン１５の他方に先の拡大画像に替えて表示するようにした。
【０４０１】
従って携帯端末１０の制御部２０は、近接継続操作を繰り返し行わせることなく、第１操作面及び第２操作面の一方に近接されていた操作体を近接させたまま移動させる簡易な操作で、画像の拡大対象部分を容易に変更し拡大して表示することができる。
【０４０２】
さらに携帯端末１０の制御部２０は、第１タッチスクリーン１４及び第２タッチスクリーン１５のうち一方の表面に対して近接継続操作や近接移動操作が行われると、当該一方に表示していた画像の一部を他方に表示するようにした。
【０４０３】
従って携帯端末１０の制御部２０は、拡大画像を、近接継続操作や近接移動操作を行う操作体によって何ら遮らせることなく見せることができる。
【０４０４】
さらに携帯端末１０の制御部２０は、第１タッチスクリーン１４及び第２タッチスクリーン１５の一方の表面に対して操作体を接触させずに近接させて行う近接継続操作や近接移動操作に応じて画像の一部を拡大して表示するようにした。
【０４０５】
従って携帯端末１０の制御部２０は、タップ操作や摺動操作のようなタッチ操作とは明確に区別しつつ、そのタッチ操作と同様な直感的な操作で、画像の一部に対する拡大率と共に拡大表示を指示させることができる。
【０４０６】
＜２．変形例＞
［２−１  変形例１］
なお上述した実施の形態においては、近接継続操作に応じて検出した指示領域の面積が大きいほど小さい値となるような当該面積の大きさと反比例する値の拡大率の中から、その面積に応じて拡大対象部分を拡大するための拡大率を検出する。そして上述した実施の形態においては、その検出した拡大率で拡大対象部分を拡大するようにした場合について述べた。
【０４０７】
しかしながら本発明は、これに限らず、近接継続操作に応じて検出した指示領域の面積が大きいほど大きな値となるような当該面積の大きさと比例する値の拡大率の中から、その面積に応じて拡大対象部分を拡大するための拡大率を検出する。そして本発明は、その検出した拡大率で拡大対象部分を拡大するようにしても良い。
【０４０８】
かかる構成によれば、本発明は、第１タッチパネル１４Ｂの第１操作面や第２タッチパネル１５Ｂの第２操作面に例えば、操作体としての１本の指を近接させて比較的面積の小さい指示領域が指示されると、値の小さい拡大率を選定させることができる。
【０４０９】
また、かかる構成によれば、本発明は、第１操作面や第２操作面に例えば、操作体としての複数の指を揃えて、又は広げて近接させて比較的面積の大きい指示領域が指示されると、値の大きい拡大率を選定させることができる。
【０４１０】
言い換えると、かかる構成によれば、本発明は、第１操作面や第２操作面に操作体を近接させて指示する指示領域の面積が大きいほど、その分、拡大率も大きいため、指示領域の面積により、拡大率の値を直感的に認識させて選定させることができる。
【０４１１】
ところで、本発明は、かかる構成の場合、上述した実施の形態の場合と同様に、複数の面積にそれぞれ異なる値の拡大率を対応させることもできる。
【０４１２】
しかしながら、本発明は、例えば、最小面積から最大面積までの複数の面積を順次一定範囲で区切り、その一定範囲毎に値の異なる１個の拡大率を対応させる。
【０４１３】
そして本発明は、一定範囲内の面積の指示領域を検出したとき、その面積が一定範囲内の何れの面積であっても、拡大対象部分を当該一定範囲に対応する１個の拡大率で一律に拡大するようにしても良い。
【０４１４】
［２−２  変形例２］
また上述した実施の形態においては、第１タッチパネル１４Ｂの第１操作面や第２タッチパネル１５Ｂの第２操作面に対して近接継続操作や近接移動操作が行われると、指示領域及び当該指示領域の面積を検出する。
【０４１５】
そして上述した実施の形態においては、画像において、その指示領域の面積と同一の面積を有し、表示面のアスペクト比と同一のアスペクト比を有する長方形状の部分を拡大対象部分として、その拡大対象部分を拡大するようにした場合について述べた。
【０４１６】
しかしながら本発明は、これに限らず、第１操作面や第２操作面に対して近接継続操作や近接移動操作が行われると、画像において、指示領域自体や、その指示領域の面積と同一の面積を有する正方形、円形等の種々の形状の部分を拡大対象部分とする。
【０４１７】
そして本発明は、その拡大対象部分を、指示領域の面積に応じた拡大率で拡大するようにしても良い。本発明は、かかる構成によっても上述した実施の形態と同様の効果を得ることができる。
【０４１８】
また本発明は、第１操作面や第２操作面に対して近接継続操作や近接移動操作が行われると、画像において、指示領域の面積にかかわらずに一定の大きさの部分を拡大対象部分とする。
【０４１９】
因みに、本発明は、この際、指示領域の中心位置に、その一定の大きさの部分の中心位置を合せるようにして、当該一定の大きさの部分を拡大対象部分とする。
【０４２０】
なお、本発明は、拡大対象部分の大きさを一定にする場合、当該拡大対象部分の形状については、表示面のアスペクト比と同一のアスペクト比を有する長方形状や、その他に正方形、円形等の種々の形状を適用することができる。
【０４２１】
そして本発明は、その拡大対象部分を、指示領域の面積に応じた拡大率で拡大するようにしても良い。本発明は、かかる構成によっても上述した実施の形態と同様の効果を得ることができる。
【０４２２】
さらに本発明は、第１操作面や第２操作面に対して近接継続操作や近接移動操作が行われると、画像において近接領域の面積と同一の面積を有する正方形、円形等の所定形状の部分を拡大対象部分とする。
【０４２３】
因みに、本発明は、この際、近接領域を１個だけ検出していると、当該検出した１個の近接領域の面積と同一の面積を有する所定形状の部分を拡大対象部分とする。
【０４２４】
また本発明は、この際、複数の近接領域を検出していると、当該複数の近接領域の面積の合計と同一の面積を有する所定形状の部分を拡大対象部分とする。
【０４２５】
さらに本発明は、この際、指示領域の中心位置に、その所定形状の部分の中心位置を合せるようにして、当該所定形状の部分を拡大対象部分とする。
【０４２６】
そして本発明は、その拡大対象部分を、指示領域の面積に応じた拡大率で拡大するようにしても良い。本発明は、かかる構成によっても上述した実施の形態と同様の効果を得ることができる。
【０４２７】
ところで、本発明は、このような種々の手法で設定した拡大対象部分を、指示領域の面積に応じた拡大率で拡大するのではなく、予め選定された一定の拡大率で拡大するようにしても良い。
【０４２８】
本発明は、かかる構成によれば、拡大対象部分の拡大率が一定ではあっても、その拡大対象部分の位置及び大きさ（すなわち、面積）を任意に選定させるようにして、画像内の所望の部分を拡大することができる。よって本発明は、かかる構成によっても、携帯端末の使い勝手を格段的に向上させることができる。
【０４２９】
また本発明は、拡大対象部分を、上述のように指示領域の面積に応じた拡大率と、このような一定の拡大率との何れで拡大するのかを、ユーザ操作に応じて適宜、切り替えるようにしても良い。
【０４３０】
かかる構成によれば、本発明は、画像の拡大の仕方をユーザに任意に選択させることができ、携帯端末の使い勝手をさらに向上させることができる。
【０４３１】
さらにまた本発明は、このような拡大対象部分の大きさ及び形状や、拡大率についての変形例２を、上述した面積に対応させる拡大率についての変形例１の構成と組み合わせて適用することもできる。
【０４３２】
［２−３  変形例３］
さらに上述した実施の形態においては、第１タッチパネル１４Ｂの第１操作面や第２タッチパネル１５Ｂの第２操作面に対して近接継続操作や近接移動操作が行われると、指示領域及び当該指示領域の面積を検出する。
【０４３３】
そして上述した実施の形態においては、画像において、指示領域の中心位置と対向する位置に、表示面のアスペクト比と同一のアスペクト比を有する長方形状の枠の中心位置を合わせるように重ねて、その枠内を拡大対象部分とするようにした場合について述べた。
【０４３４】
しかしながら本発明は、これに限らず、第１操作面や第２操作面に対して近接継続操作や近接移動操作が行われると、その指示領域の中心位置にかかわらずに、例えば、画像の中央部分のように常に同じ部分を拡大対象部分とするようにしても良い。
【０４３５】
また本発明は、指示領域の中心位置にかかわらずに、画像の常に同じ部分を拡大対象部分とする場合、例えば、適宜、第１操作面や第２操作面に対するタップ操作や摺動操作のようなタッチ操作によって、拡大対象部分を指示させて設定しておくようにしても良い。
【０４３６】
さらに本発明は、第１操作面や第２操作面に対して近接継続操作や近接移動操作が行われると、画像全体を拡大対象部分として、指示領域の面積に応じた拡大率で拡大する。
【０４３７】
そして本発明は、この際、表示面の中心位置に、その拡大した画像の中心位置を合せるようにして、又は指示領域の中心位置に、その拡大した画像の中心位置を合せるようにして、当該拡大した画像を表示するようにしても良い。
【０４３８】
さらにまた本発明は、このような画像の拡大についての変形例３の構成を、上述した変形例１の構成、変形例２の構成の少なくとも１つと組み合わせて適用することもできる。
【０４３９】
［２−４  変形例４］
さらに上述した実施の形態においては、携帯端末１０に２個の第１タッチスクリーン１４及び第２タッチスクリーン１５を設けるようにした。
【０４４０】
そして上述した実施の形態においては、第１タッチスクリーン１４及び第２タッチスクリーン１５の一方に対する近接操作に応じて、第１タッチスクリーン１４及び第２タッチスクリーン１５の他方に画像の一部を拡大して表示するようにした場合について述べた。
【０４４１】
しかしながら本発明は、これに限らず、図２３に示すように、携帯端末５０に、例えば、上述の第１タッチスクリーン１４や第２タッチスクリーン１５と同様構成の１個のタッチスクリーン５１を設けるようにする。
【０４４２】
そして本発明は、携帯端末５０において、タッチスクリーン５１の表面に対して近接操作が行われると、タッチスクリーン５１に、それまで表示していた画像５２に替えて、当該画像５２の一部を、指示領域の面積に応じた拡大率で拡大して表示しても良い。
【０４４３】
また本発明は、携帯端末５０においてタッチスクリーン５１に拡大画像５３を表示した場合、当該タッチスクリーン５１から操作体が近接検出距離範囲より遠ざけられても、その拡大画像５３の表示を維持する。
【０４４４】
そして本発明は、携帯端末５０においてタッチスクリーン５１に拡大画像５３を表示した状態で、当該タッチスクリーン５１の表面に対して特定の種類の近接操作又はタッチ操作が行われると、拡大画像５３に替えて、もとの画像５２を表示するようにしても良い。
【０４４５】
本発明は、上述した実施の形態についても、第１タッチスクリーン１４及び第２タッチスクリーン１５の一方に拡大画像を表示した場合、第１タッチスクリーン１４及び第２タッチスクリーン１５の他方から操作体が遠ざけられても拡大画像の表示を維持する。
【０４４６】
そして本発明は、上述した実施の形態についても、拡大画像を表示した状態では、第１タッチスクリーン１４及び第２タッチスクリーン１５の一方又は他方の表面に対して特定の種類の近接操作又はタッチ操作が行われると、表示をもとに戻すようにしても良い。
【０４４７】
また本発明は、携帯端末に少なくとも１個のタッチパネルと少なくとも１個の液晶パネルとを一体化せずに別々に設けるようにする。
【０４４８】
そして本発明は、タッチパネルの操作面に対して近接操作が行われると、その近接操作により指示された指示領域の面積に応じた拡大率で、液晶パネルに画像の一部を拡大して表示するようにしても良い。
【０４４９】
本発明は、このような携帯端末についての変形例４の構成を、上述した変形例１の構成、変形例２の構成、変形例３の構成の少なくとも１つと組み合わせて適用することもできる。
【０４５０】
［２−５  変形例５］
さらに上述した実施の形態においては、第１タッチパネル１４Ｂの第１操作面や第２タッチパネル１５Ｂの第２操作面に近接継続操作が行われている間、近接継続操作で指示された拡大率で画像の拡大対象部分を拡大して表示するようにした場合について述べた。
【０４５１】
しかしながら本発明は、これに限らず、第１操作面や第２操作面に対して近接継続操作が行われている間、領域検出処理を毎回又は所定回数に１回実行する毎に指示領域の面積を検出する。
【０４５２】
そして本発明は、近接継続操作が行われている間、指示領域の面積を検出する毎に、その面積に応じた拡大率を検出して、拡大対象部分の拡大に使用する拡大率を、当該検出した拡大率に更新する。
【０４５３】
このようにして本発明は、近接継続操作が行われている間、適宜更新した拡大率で画像の拡大対象部分を拡大して表示するようにしても良い。
【０４５４】
また本発明は、第１操作面や第２操作面に対して近接移動操作が行われている間も、同様に領域検出処理を毎回又は所定回数に１回実行する毎に指示領域の面積を検出する。
【０４５５】
そして本発明は、近接移動操作が行われている間、指示領域の面積を検出する毎に、その面積に応じた拡大率を検出して、拡大対象部分の拡大に使用する拡大率を、当該検出した拡大率に更新する。
【０４５６】
このようにして本発明は、近接移動操作が行われている間も、適宜更新した拡大率で画像の拡大対象部分を拡大して表示するようにしても良い。
【０４５７】
本発明は、かかる構成により、近接操作の間でも、第１操作面や第２操作面と操作体との距離を変化させることで、拡大率を自由に変更して拡大対象部分を拡大することができる。
【０４５８】
これに加えて本発明は、拡大率のみならずに、第１操作面や第２操作面に対して近接継続操作が行われている間、領域検出処理を毎回又は所定回数に１回実行する毎に指示領域の面積を検出して、当該面積に基づき拡大対象部分の大きさも変更しても良い。
【０４５９】
また本発明は、第１操作面や第２操作面に対して近接移動操作が行われている間も、同様に領域検出処理を毎回又は所定回数に１回実行する毎に指示領域の面積を検出して、当該面積に基づき拡大対象部分の大きさを変更しても良い。
【０４６０】
本発明は、かかる構成により、近接操作の間でも、第１操作面や第２操作面と操作体との距離を変化させることで、あたかもズームを行うように拡大対象部分の大きさを自由に変更して、その拡大対象部分を拡大することができる。
【０４６１】
そして本発明は、このような拡大率の変更と拡大対象部分の大きさの変更とを組合せて実行することもできる。
【０４６２】
ところで、本発明は、このような拡大率の更新についての変形例５の構成を、上述した変形例１の構成、変形例２の構成、変形例３の構成、変形例４の構成の少なくとも１つと組み合わせて適用することもできる。
【０４６３】
［２−６  変形例６］
さらに上述した実施の形態においては、第１タッチパネル１４Ｂの第１操作面や第２タッチパネル１５Ｂの第２操作面に対して行われた近接継続操作や近接移動操作に応じて、画像の拡大対象部分を拡大して表示するようにした場合について述べた。
【０４６４】
しかしながら本発明は、これに限らず、第１操作面や第２操作面に対して行われたタップ操作や摺動操作のようなタッチ操作に応じて、画像の拡大対象部分を拡大して表示するようにしても良い。
【０４６５】
すなわち、本発明は、第１操作面や第２操作面に対して例えば、１本の指や複数の指によって行われたタップ操作に応じて指示領域及びその面積を検出し、その面積に応じた拡大率で画像の拡大対象部分を拡大して表示するようにしても良い。
【０４６６】
また本発明は、第１操作面や第２操作面に対して例えば、１本の指によって所望の部分を指示領域として囲むように行われた摺動操作に応じて当該指示領域及びその面積を検出し、その面積に応じた拡大率で画像の拡大対象部分を拡大して表示するようにしても良い。
【０４６７】
また本発明は、第１操作面や第２操作面に例えば、１本の指や複数の指を所定時間以上接触させるように行われたタッチ操作に応じて指示領域及びその面積を検出し、その面積に応じた拡大率で画像の拡大対象部分を拡大して表示するようにしても良い。
【０４６８】
ところで、本発明は、第１操作面や第２操作面に対して近接継続操作が行われて、指示領域及びその面積を検出すると、その後は、第１操作面や第２操作面に操作体が接触しても近接継続操作の実行中とみなすようにしても良い。
【０４６９】
すなわち、本発明は、近接継続操作が行われている間に、第１操作面や第２操作面に操作体が接触して接触領域を検出しても、その接触領域を近接領域として扱い指示領域を検出する。
【０４７０】
そして本発明は、第１液晶パネル１４Ａ及び第２液晶パネル１５Ａの一方に対する拡大画像の表示を継続するようにしても良い。
【０４７１】
また本発明は、第１操作面や第２操作面に対して近接継続操作が行われて指示領域及びその面積を検出した後は、連続して行われた近接移動操作において第１操作面や第２操作面に操作体が接触しても、近接移動操作の実行中とみなすようにしても良い。
【０４７２】
すなわち、本発明は、近接移動操作が行われている間に、第１操作面や第２操作面に操作体が接触して接触領域を検出しても、その接触領域を近接領域として扱い指示領域を検出する。
【０４７３】
そして本発明は、第１液晶パネル１４Ａ及び第２液晶パネル１５Ａの一方に対する拡大画像の表示を継続するようにしても良い。
【０４７４】
さらに本発明は、第１操作面や第２操作面に対して近接継続操作が行われて指示領域及びその面積を検出した後は、連続して第１操作面や第２操作面に操作体が接触したまま移動させるように操作されても、その操作を近接移動操作とみなすようにしても良い。
【０４７５】
すなわち、本発明は、近接移動操作に応じて指示領域及びその面積を検出した後は、第１操作面や第２操作面から操作体が近接検出距離範囲を越えて遠ざけられるまでに、接触領域を検出しても、その接触領域を近接領域として扱い指示領域を検出する。
【０４７６】
そして本発明は、第１液晶パネル１４Ａ及び第２液晶パネル１５Ａの一方に対する拡大画像の表示を継続するようにしても良い。
【０４７７】
本発明は、かかる構成により、近接継続操作や近接移動操作が行われている間に、第１操作面や第２操作面に操作体が誤って接触しても、その接触により、拡大対象部分を拡大して表示するための処理が無駄に中断することを回避することができる。
【０４７８】
ところで本発明は、このような画像を拡大表示するための操作についての変形例６の構成を、上述した変形例１の構成、変形例２の構成、変形例３の構成、変形例４の構成、変形例５の構成の少なくとも１つと組み合わせて適用することもできる。
【０４７９】
［２−７  変形例７］
さらに上述した実施の形態においては、近接領域及び接触領域を全く検出していない状態で、近接開始時点の１個の近接領域を検出すると、近接操作が開始されたと判断し、そのうえで近接継続操作が行われたか否かを検出するようにした場合について述べた。
【０４８０】
しかしながら本発明は、これに限らず、近接領域及び接触領域を検出していない状態で近接開始時点の１個の近接領域を検出すると、近接操作の開始を判断せずに、その後の近接領域の検出状況に応じて近接継続操作が行われたか否かを検出するようにしても良い。
【０４８１】
因みに、以下には、このような近接継続操作が行われたか否かの検出手法について、第１タッチパネル１４Ｂの第１操作面に操作体が近接された場合を例にして説明する。
【０４８２】
すなわち、制御部２０は、近接領域及び接触領域を全く検出していない状態で、近接開始時点の１個の近接領域を検出すると、タイマにより近接時間の計時を開始する。
【０４８３】
また制御部２０は、近接領域及び接触領域を全く検出していない状態で、近接開始時点の複数の近接領域を同時に検出しても、タイマにより近接時間の計時を開始する。
【０４８４】
そして制御部２０は、近接時間の計時を開始すると、当該近接時間の計時を、最大でも、継続操作判別時間に達するまで継続する。
【０４８５】
さらに制御部２０は、このように近接開始時点の１又は複数の近接領域を検出すると、これら近接領域の重心位置をそれぞれ移動軌跡の起点として、操作体としての例えば、指毎の移動軌跡の検出も開始する。
【０４８６】
さらにまた制御部２０は、近接時間が継続操作判別時間に達するまでに、第１操作面に新たに例えば、１又は複数の指が近接して近接開始時点の１又は複数の近接領域を追加で検出すると、当該１又は複数の近接領域の重心位置もそれぞれ移動軌跡の起点とする。
【０４８７】
そして制御部２０は、このように１又は複数の近接領域を追加で検出した場合も、同様に当該追加で検出した操作体としての例えば、指毎の移動軌跡の検出も開始する。
【０４８８】
因みに、制御部２０は、近接開始時点の１又は複数の近接領域の検出以降は、領域検出処理を実行して近接領域を重心位置と共に検出する毎に、起点（重心位置）から、その検出した重心位置を順に辿るようにして指毎の移動軌跡を検出する。
【０４８９】
そして制御部２０は、近接時間が継続操作判別時間に達する前に、第１操作面から１又は複数の指が離れて当該指の近接領域を検出しなくなっても（検出していた近接領域の個数が減っても）、未だ１個以上の近接領域を検出していると、近接時間の計時を継続する。
【０４９０】
ただし、制御部２０は、近接時間が継続操作判別時間に達する前に、全ての近接領域を検出し得なくなる（すなわち、第１操作面に近接していた操作体としての例えば、全ての指が近接検出距離範囲から外れる）と、近接時間の計時を終了する。
【０４９１】
また制御部２０は、近接時間が継続操作判別時間に達する前に、第１操作面に１又は複数の指が接触して１又は複数の接触領域を検出すると、このときは近接領域の検出の有無にかかわらずに、近接時間の計時を終了する。
【０４９２】
このように制御部２０は、近接時間の計時を開始すると、接触領域を検出しないまま、少なくとも１個以上の近接領域を順次追跡するように検出している間は、その近接時間の計時を継続する。
【０４９３】
すなわち、制御部２０は、近接時間の計時を開始すると、その後は第１操作面に他の指が追加で近接し、また指が近接検出距離範囲から外れても、第１操作面に指が接触しないまま、少なくとも１本以上の指が近接している間は、近接時間の計時を継続する。
【０４９４】
そして制御部２０は、近接時間が継続操作判別時間に達する前に、その近接時間の計時を終了すると、このとき第１操作面に対し近接操作は行われていないと判別する。
【０４９５】
これに対し制御部２０は、計時している近接時間が継続操作判別時間に達すると、そのときまでに検出し続けていた全ての移動軌跡が、例えば、対応する起点（重心位置）を中心にした所定半径の円状の範囲内に収まっているか否かを判別する。
【０４９６】
因みに、起点を中心とした円状の範囲は、近接操作が行われているか否かを判別するために用いるものであり、以下の説明では、その円状の範囲を近接操作判別範囲とも呼ぶ。そして近接操作判別範囲の半径は、例えば、１［ｍｍ］以下のような所定長さに予め選定されている。
【０４９７】
その結果、制御部２０は、近接時間が継続操作判別時間に達したとき、これまでに検出していた全ての移動軌跡が、それぞれ対応する起点から近接操作判別範囲の外側にまで伸びていると、第１操作面に対し近接操作は行われていないと判別する。
【０４９８】
すなわち、制御部２０は、継続操作判別時間、第１操作面に指が全く接触しなくても、１又は複数の指が位置を大きく変えていると、第１操作面に指が誤って近接したものとして、近接操作が行われていないと判別する。
【０４９９】
これに対し制御部２０は、近接時間が継続操作判別時間に達したとき、少なくとも１本以上の移動軌跡が、対応する近接操作判別範囲内に収まっていると、第１操作面に対し近接操作として近接継続操作が行われていると判別する。
【０５００】
すなわち、制御部２０は、継続操作判別時間、第１操作面に操作体としての例えば、指が全く接触せずに、１又は複数の指がほとんど位置を変えずに近接していることを検出すると、近接継続操作が行われていると判別する。
【０５０１】
これにより制御部２０は、近接継続操作をタップ操作や摺動操作のようなタッチ操作とは明確に区別して、第１操作面に対し近接継続操作が行われたことを検出することができる。
【０５０２】
また制御部２０は、このように近接継続操作が行われていると判別すると、その判別時点（以下の説明では、近接継続操作が行われていると判別した時点を、継続操作判別時点とも呼ぶ）に検出している近接領域を全て、今回の近接操作によるものであると判別する。
【０５０３】
これにより制御部２０は、近接時間が継続操作判別時間に達するまでに、複数の指による複数の近接領域を時間的に僅かにずれて検出し始めても、継続操作判別時点に、これら複数の近接領域を１回の近接操作による近接領域として検出することができる。
【０５０４】
このようにして制御部２０は、第１操作面に対し近接継続操作が行われていることを検出し、その継続操作判別時点に検出している全ての近接領域をもとに、第１操作面において当該近接継続操作により指示された指示領域を検出することができる。
【０５０５】
因みに、制御部２０は、このような近接継続操作が行われたか否かの検出手法を上述の表示制御処理手順ＲＴ１に適用した場合、ステップＳＰ１において肯定結果を得ると、近接時間の計時と、操作体の移動軌跡の検出とを開始して、ステップＳＰ７に移る。
【０５０６】
そしてステップＳＰ７において制御部２０は、操作体の少なくとも１本以上の移動軌跡が近接操作判別範囲内に留まったまま、近接時間が近接操作判別時間に達したか否かを判別する。
【０５０７】
この際、ステップＳＰ７において否定結果が得られると、このことは、第１操作面及び第２操作面の一方に操作体が誤って近接された、又は第１操作面及び第２操作面の一方に操作体がタッチ操作のために近づけられた可能性があることを表している。
【０５０８】
ただし、かかる否定結果は、この際、第１操作面及び第２操作面の一方において操作体がほぼ同じ位置に近接していると、単に近接時間が継続操作判別時間に達していないことを表している。よってステップＳＰ７において制御部２０は、否定結果を得ると、ステップＳＰ１に戻る。
【０５０９】
これにより制御部２０は、第１操作面及び第２操作面の一方において操作体がほぼ同じ位置に近接している間は、ステップＳＰ１及びステップＳＰ７の処理を順次繰り返し実行して、近接時間が継続操作判別時間に達することを待ち受ける。
【０５１０】
このように制御部２０は、かかる検出手法を上述の表示制御処理手順ＲＴ１に適用しても、第１操作面及び第２操作面の一方に対し近接継続操作が行われているか否かを検出することができる。
【０５１１】
［２−８  変形例８］
さらに上述した実施の形態においては、接触領域を全く検出していない状態で１個の接触領域を接触開始時点の接触領域として検出すると、タッチ操作が開始されたと判断し、そのうえでタッチ操作が行われたか否かを検出するようにした場合について述べた。
【０５１２】
しかしながら本発明は、これに限らず、接触領域を検出していない状態で１個の接触領域を接触開始時点の接触領域として検出すると、タッチ操作の開始を判断せずに、その後の接触領域の検出状況に応じてタッチ操作が行われたか否かを検出するようにしても良い。
【０５１３】
因みに、以下には、このようなタッチ操作が行われたか否かの検出手法について、第１タッチパネル１４Ｂの第１操作面に操作体が近接された場合を例にして説明する。
【０５１４】
すなわち、制御部２０は、接触領域を全く検出していない状態で、１個の接触領域を操作体の接触開始時点の接触領域として検出すると、タイマにより接触時間の計時を開始する。
【０５１５】
因みに、制御部２０は、操作体の接触開始時点の接触領域を検出してから当該操作体の接触終了時点の接触領域を判別するまで（第１操作面に操作体が接触されてから（接触開始から）離されるまで（接触終了まで）の間）接触時間を計時する。そして制御部２０は、接触時間を計時している間、その接触時間をタップ判別時間と比較する。
【０５１６】
また制御部２０は、このように操作体の接触開始時点の１個の接触領域を検出すると、当該接触開始時点の１個の接触領域の重心位置を起点として、その操作体の移動軌跡の検出も開始する。
【０５１７】
因みに、制御部２０は、操作体の移動軌跡の検出を開始すると、その後は領域検出処理を実行して当該操作体の接触領域を重心位置と共に追跡するように検出する毎に、起点から、その検出した重心位置を順に辿るようにして操作体の移動軌跡を検出する。
【０５１８】
そして制御部２０は、接触時間がタップ判別時間に達する前に第１操作面から操作体が離されて当該接触時間の計時を終了すると、そのときまでに検出した移動軌跡が、起点（重心位置）を中心にした種類判別円に収まっているか否かを判別する。
【０５１９】
その結果、制御部２０は、第１操作面に対する操作体の接触開始から接触終了までの移動軌跡が、種類判別円に収まっていると、このとき第１操作面に対しタッチ操作としてタップ操作が行われたと判別する。
【０５２０】
この際、制御部２０は、タップ操作による操作体の接触終了時点の接触領域の重心位置（すなわち、画素位置の座標で示す重心位置）を、このとき第１液晶パネル１４Ａの表示面に表示している画像内で、当該タップ操作により指示されたタップ指示位置とする。
【０５２１】
因みに、制御部２０は、接触時間がタップ判別時間に達する前に第１操作面から離された操作体の移動軌跡が、種類判別円の外側にまで伸びていると、このとき第１操作面に対しタッチ操作としてタップ操作は行われていないと判別する。
【０５２２】
また制御部２０は、タイマにより計時している接触時間がタップ判別時間を越えると、操作体の移動軌跡が種類判別円の外側にまで伸びているか否かを判別する。
【０５２３】
その結果、制御部２０は、タップ判別時間を越えて第１操作面の接触している操作体の移動軌跡が種類判別円の外側にまで伸びていることを検出すると、このとき第１操作面に対しタッチ操作として摺動操作が行われていると判別する。
【０５２４】
この場合、制御部２０は、摺動操作判別時点以降も摺動操作が終了するまでの間、重心位置の検出に応じて操作体の移動軌跡を順次更新する。そして制御部２０は、その摺動操作による操作体の移動軌跡を、例えば、画像のスクロールに利用する。
【０５２５】
因みに、制御部２０は、タップ判別時間を越えて第１操作面に接触している操作体の移動軌跡が種類判別円内に収まったまま、当該第１操作面から操作体が離されると、このとき第１操作面に操作体が誤って接触しており、タッチ操作は行われていないと判別する。
【０５２６】
このようにして制御部２０は、かかる検出手法によっても、第１タッチパネル１４Ｂの第１操作面に対して例えば、操作体としての１本の指でタップ操作が行われたことを検出することができる。
【０５２７】
また制御部２０は、第１タッチパネル１４Ｂの第１操作面に対して例えば、操作体としての１本の指で摺動操作が行われたことも検出することもできる。
【０５２８】
［２−９  変形例９］
さらに上述した実施の形態においては、本発明の表示制御装置を、図１乃至図２３について上述した携帯端末１０に適用するようにした場合について述べた。
【０５２９】
しかしながら本発明は、これに限らず、その表示制御装置を、タッチパネルと、液晶パネルのような表示部とが設けられたコンピュータや携帯電話機、ＰＤＡ（Personal  Digital  Assistance）、携帯型ゲーム機器等の情報処理装置に適用することができる。
【０５３０】
また本発明は、その表示制御装置を、デジタルスチルカメラやデジタルビデオカメラのような撮影装置、携帯型再生装置等のように、この他種々の構成の表示制御装置にも広く適用することができる。
【０５３１】
［２−１０  変形例１０］
さらに上述した実施の形態においては、本発明による表示制御プログラムを、図１乃至図２３について上述した不揮発性メモリ２１に予め記憶された表示制御プログラムに適用するようにした。
【０５３２】
そして制御部２０が、その表示制御プログラムに従って図２１及び図２２について上述した表示制御処理手順ＲＴ１を実行するようにした場合について述べた。
【０５３３】
しかしながら本発明は、これに限らず、携帯端末１０が表示制御プログラムの記憶されたコンピュータ読取可能な記憶媒体によって表示制御プログラムをインストールしても良い。
【０５３４】
そして制御部２０が、そのインストールした表示制御プログラムに従って表示制御処理手順ＲＴ１を実行するようにしても良い。
【０５３５】
また携帯端末１０は、ローカルエリアネットワークやインターネット、デジタル衛星放送等の有線及び無線通信媒体を利用して外部から表示制御プログラムをインストールするようにしても良い。
【０５３６】
そして表示制御プログラムを携帯端末１０にインストールして実行可能な状態にするためのコンピュータ読取可能な記憶媒体としては、例えばフレキシブルディスクのようなパッケージメディアで実現しても良い。
【０５３７】
また表示制御プログラムを携帯端末１０にインストールして実行可能な状態にするためのコンピュータ読取可能な記憶媒体としては、ＣＤ−ＲＯＭ（ComＣＡct  Disc-Read  Only  Memory）のようなパッケージメディアで実現しても良い。
【０５３８】
さらに表示制御プログラムを携帯端末１０にインストールして実行可能な状態にするためのコンピュータ読取可能な記憶媒体としては、ＤＶＤ（Digital  Versatile  Disc）等のパッケージメディアで実現しても良い。
【０５３９】
さらに、かかるコンピュータ読取可能な記憶媒体としては、パッケージメディアのみならず、各種プログラムが一時的もしくは永続的に記憶される半導体メモリや磁気ディスク等で実現しても良い。
【０５４０】
また、これらコンピュータ読取可能な記憶媒体に表示制御プログラムを記憶する手段としては、ローカルエリアネットワークやインターネット、デジタル衛星放送等の有線及び無線通信媒体を利用しても良い。
【０５４１】
さらにコンピュータ読取可能な記憶媒体には、ルータやモデム等の各種通信インタフェースを介して表示制御プログラムを記憶するようにしても良い。
【０５４２】
［２−１１  変形例１１］
さらに上述した実施の形態においては、表示部として、図１乃至図２３について上述した第１液晶パネル１４Ａ及び第２液晶パネル１５Ａを適用するようにした場合について述べた。
【０５４３】
しかしながら本発明は、これに限らず、表示部として、有機ＥＬ（Electro  Luminescence）ディスプレイや陰極線管等のように、この他種々の構成の表示部を広く適用することができる。
【０５４４】
［２−１２  変形例１２］
さらに上述した実施の形態においては、操作面に対する指示操作を検出する検出部として、図１乃至図２３について上述した静電容量式の第１タッチパネル１４Ｂ及び第２タッチパネル１５Ｂを適用するようにした場合について述べた。
【０５４５】
しかしながら本発明は、これに限らず、検出部として、表示部とは別に設けられた静電容量式のタッチパネル、表示部と一体又は別に設けられた感圧式のタッチパネルを適用することができる。
【０５４６】
また本発明は、検出部として、液晶パネルの個々の画素位置に、操作体の接触及び近接を検出するための赤外線発光素子及び赤外線受光素子が配置されて形成されたタッチスクリーン等のように、この他種々の構成の検出部も広く適用することができる。
【０５４７】
［２−１３  変形例１３］
さらに上述した実施の形態においては、検出部により操作面に対する指示操作が検出されると、当該操作面において指示操作で指示された面積を検出し、画像を当該検出した面積に基づいて拡大して、表示部に表示させる制御部として、図１乃至図２３について上述したＣＰＵでなる制御部２０を適用するようにした場合について述べた。
【０５４８】
しかしながら本発明は、これに限らず、検出部として、マイクロプロセッサやＤＳＰ（Digital  Signal  Processor）を適用することができる。
【０５４９】
また本発明は、検出部として、検出部により操作面に対する指示操作が検出されると、当該操作面において指示操作で指示された面積を検出し、画像を当該検出した面積に基づいて拡大して、表示部に表示させるハードウェア回路構成の制御回路等のように、この他種々の構成の制御部も広く適用することができる。
【０５５０】
［２−１４  変形例１４］
さらに上述した実施の形態においては、画像を表示する元画像表示部として、図１乃至図２３について上述した第１液晶パネル１４Ａ及び第２液晶パネル１５Ａを適用するようにした場合について述べた。
【０５５１】
しかしながら本発明は、これに限らず、表示部として、有機ＥＬディスプレイや陰極線管等のように、この他種々の構成の表示部を広く適用することができる。
【０５５２】
［２−１５  変形例１５］
さらに上述した実施の形態においては、画像の一部を拡大して得られる拡大画像を表示する拡大画像表示部として、図１乃至図２３について上述した第１液晶パネル１４Ａ及び第２液晶パネル１５Ａを適用するようにした場合について述べた。
【０５５３】
しかしながら本発明は、これに限らず、表示部として、有機ＥＬディスプレイや陰極線管等のように、この他種々の構成の表示部を広く適用することができる。
【産業上の利用可能性】
【０５５４】
本発明は、携帯端末やコンピュータ、携帯電話機、携帯型ゲーム機器等の表示制御装置に利用することができる。
【符号の説明】
【０５５５】
１……表示制御装置、２……表示部、３……検出部、４……制御部、１０、５０……携帯端末、１４……第１タッチスクリーン、１４Ａ……第１液晶パネル、１４Ｂ……第１タッチパネル、１５……第２タッチスクリーン、１５Ａ……第２液晶パネル、１５Ｂ……第２タッチパネル、２０……制御部、３１……ページ画像、４０乃至４３、５３……拡大画像、４５……地図画像、５１……タッチスクリーン、５２……画像、ＣＡ１乃至ＣＡ４……近接領域、ＤＴ……検出テーブル、ＥＲ……拡大率情報、ＩＡ１乃至ＩＡ３……指示領域、ＰＥ１乃至ＰＥ９……拡大対象部分、ＲＴ１……表示制御処理手順、ＳＲ……面積情報、ＳＺ……拡大対象部分情報。
【図１】
2011141753.tif 000003
【図２】
2011141753.tif 000004
【図３】
2011141753.tif 000005
【図４】
2011141753.tif 000006
【図５】
2011141753.tif 000007
【図６】
2011141753.tif 000008
【図７】
2011141753.tif 000009
【図８】
2011141753.tif 000010
【図９】
2011141753.tif 000011
【図１０】
2011141753.tif 000012
【図１１】
2011141753.tif 000013
【図１２】
2011141753.tif 000014
【図１３】
2011141753.tif 000015
【図１４】
2011141753.tif 000016
【図１５】
2011141753.tif 000017
【図１６】
2011141753.tif 000018
【図１７】
2011141753.tif 000019
【図１８】
2011141753.tif 000020
【図１９】
2011141753.tif 000021
【図２０】
2011141753.tif 000022
【図２１】
2011141753.tif 000023
【図２２】
2011141753.tif 000024
【図２３】
2011141753.tif 000025